(57)【要約】  無線ネットワークにおいてＵＥ固有基準信号（ＵＥ−ＲＳ）を送信するための技術が説明される。態様において、ＵＥ−ＲＳは、データ伝送のために使用されるレイヤの数に依存して、異なるやり方で送信されうる。一設計では、セルは、データが１つのレイヤで送信される場合は、周波数シフトに基づいて、また、データが複数のレイヤで送信される場合は、（周波数シフトを用いることなく）予め定められたサブキャリアのセットに基づいて、ＵＥ−ＲＳのためのサブキャリアを決定しうる。別の態様では、ＵＥ−ＲＳは、複数のレイヤでのデータ伝送のために、周波数シフトに基づいて決定されたサブキャリアで送信されうる。更に別の態様では、ＵＥ−ＲＳは、多地点間協調（ＣｏＭＰ）のために、複数のセルからＵＥに送信されうる。更に別の態様では、ＵＥ−ＲＳは、データセクションのみを含むサブフレームのデータセクションにおいて送信されうる。【選択図】図１０Ｂ
2013504941.tif 000002
【特許請求の範囲】
【請求項１】
１つのレイヤと複数のレイヤのどちらでデータを送信するかを決定することと、
データが１つのレイヤで送信される場合は周波数シフトに基づいて、また、データが複数のレイヤで送信される場合は予め定められたサブキャリアのセットに基づいて、ユーザ機器固有基準信号（ＵＥ−ＲＳ）のためのサブキャリアを決定することと、
前記決定されたサブキャリアで前記ＵＥ−ＲＳを送信することと
を備える、無線通信のための方法。
【請求項２】
前記１つのレイヤと複数のレイヤのどちらでデータを送信するかを決定することは、
データがビームステアリングを用いて１つのＵＥに送られる場合は、前記データを１つのレイヤで送信することを決定することと、
データが多入力多出力（ＭＩＭＯ）あるいは多地点間協調（ＣｏＭＰ）を用いて１又は複数のＵＥに送られる場合、前記データを複数のレイヤで送信することを決定することと
を備える、請求項１に記載の方法。
【請求項３】
前記ＵＥ−ＲＳのためのサブキャリアを決定することは、
データが１つのレイヤで送信される場合は、前記周波数に基づいて可能性のある複数のサブキャリアのセットの中から前記ＵＥ−ＲＳのためのサブキャリアのセットを選択することであって、前記複数のサブキャリアのセットは、周波数におけるオフセットであり、オーバラップしていないことと、
データが複数のレイヤで送信される場合は、前記ＵＥ−ＲＳのための前記予め定められたサブキャリアのセットを選択することと
を備える、請求項１に記載の方法。
【請求項４】
前記決定されたサブキャリアは、前記ＵＥ−ＲＳが送信される少なくとも１つのリソースブロックにわたって均一に間隔を空けられる、
請求項１に記載の方法。
【請求項５】
複数のセルは、１つのレイヤで送信されるデータのために、異なる周波数シフトに基づいて決定された異なるサブキャリアでＵＥ−ＲＳを送信し、前記複数のセルは、複数のレイヤで送信されるデータのために、前記予め定められたサブキャリアのセットでＵＥ−ＲＳを送信する、
請求項１に記載の方法。
【請求項６】
伝送の前にプリコーディングベクトルに基づいて前記ＵＥ−ＲＳおよびデータをプリコーディングすることを更に備える、
請求項１に記載の方法。
【請求項７】
１つのレイヤでデータをＵＥに送信することと、
前記１つのレイヤで前記ＵＥ−ＲＳを前記ＵＥに送信することと
を更に備える、請求項１に記載の方法。
【請求項８】
複数のレイヤでデータを１又は複数のＵＥに送信することと、
前記１又は複数のＵＥのうちの１つに前記複数のレイヤのうちの１つで前記ＵＥ−ＲＳを送信することと、
前記１又は複数のＵＥのうちの少なくとも１つのＵＥに少なくとも１つのその他のレイヤで少なくとも１つの追加的なＵＥ−ＲＳを送信することと
を更に備える、請求項１に記載の方法。
【請求項９】
１つのレイヤと複数のレイヤのどちらでデータを送信するかを決定する手段と、
データが１つのレイヤで送信される場合は周波数シフトに基づいて、また、データが複数のレイヤで送信される場合は予め定められたサブキャリアのセットに基づいて、ユーザ機器固有基準信号（ＵＥ−ＲＳ）のためのサブキャリアを決定する手段と、
前記決定されたサブキャリアで前記ＵＥ−ＲＳを送信する手段と
を備える、無線通信のための装置。
【請求項１０】
前記１つのレイヤと複数のレイヤのどちらでデータを送信するかを決定する手段は、
データがビームステアリングを用いて１つのＵＥに送られる場合は、前記データを１つのレイヤで送信することを決定する手段と、
データが多入力多出力（ＭＩＭＯ）あるいは多地点間協調（ＣｏＭＰ）を用いて１又は複数のＵＥに送られる場合は、前記データを複数のレイヤで送信することを決定する手段と
を備える、請求項９に記載の装置。
【請求項１１】
前記ＵＥ−ＲＳのためのサブキャリアを決定する手段は、
データが１つのレイヤで送信される場合は、前記周波数シフトに基づいて可能性のある複数のサブキャリアのセットの中から前記ＵＥ−ＲＳのためのサブキャリアのセットを選択する手段であって、前記複数のサブキャリアのセットは、周波数におけるオフセットであり、オーバラップしていない手段と、
データが複数のレイヤで送信される場合は、前記ＵＥ−ＲＳのための前記予め定められたサブキャリアのセットを選択する手段と
を備える、請求項９に記載の装置。
【請求項１２】
１つのレイヤと複数のレイヤのどちらでデータを送信するかを決定することと、データが１つのレイヤで送信される場合は周波数シフトに基づいて、また、データが複数のレイヤで送信される場合は予め定められたサブキャリアのセットに基づいて、ユーザ機器固有基準信号（ＵＥ−ＲＳ）のためのサブキャリアを決定することと、前記決定されたサブキャリアで前記ＵＥ−ＲＳを送信することとを実行するように構成された少なくとも１つのプロセッサを備える、
無線通信のための装置。
【請求項１３】
前記少なくとも１つのプロセッサは、データがビームステアリングを用いて１つのＵＥに送られる場合は、前記データを１つのレイヤで送信することを決定することと、データが多入力多出力（ＭＩＭＯ）あるいは多地点間協調（ＣｏＭＰ）を用いて１又は複数のＵＥに送られる場合は、前記データを複数のレイヤで送信することを決定することとを実行するように構成される、
請求項１２に記載の装置。
【請求項１４】
前記少なくとも１つのプロセッサは、データが１つのレイヤで送信される場合は、前記周波数シフトに基づいて可能性のある複数のサブキャリアのセットの中から前記ＵＥ−ＲＳのためのサブキャリアのセットを選択することであって、前記複数のサブキャリアのセットは、周波数におけるオフセットであり、オーバラップしていないことと、データが複数のレイヤで送信される場合は、前記ＵＥ−ＲＳのための前記予め定められたサブキャリアのセットを選択することとを実行するように構成される、
請求項１２に記載の装置。
【請求項１５】
１つのレイヤと複数のレイヤのどちらでデータを送信するかを決定することを、少なくとも１つのコンピュータに実行させるコードと、
データが１つのレイヤで送信される場合は周波数シフトに基づいて、また、データが複数のレイヤで送信される場合は予め定められたサブキャリアのセットに基づいて、ユーザ機器固有基準信号（ＵＥ−ＲＳ）のためのサブキャリアを決定することを、前記少なくとも１つのコンピュータに実行させるコードと、
前記決定されたサブキャリアで前記ＵＥ−ＲＳを送信することを、前記少なくとも１つのコンピュータに実行させるコードと
を備える非一時的なコンピュータ読取可能媒体を備える、
コンピュータプログラム製品。
【請求項１６】
データが１つのレイヤで送信される場合は周波数シフトに基づいて、また、データが複数のレイヤで送信される場合は予め定められたサブキャリアのセットに基づいて、ユーザ機器固有基準信号（ＵＥ−ＲＳ）のためのサブキャリアを決定することと、
ＵＥにおいて、前記決定されたサブキャリアで前記ＵＥ−ＲＳを受信することと
を備える、無線通信のための方法。
【請求項１７】
前記データがビームステアリングを用いて前記ＵＥに送られる場合は、１つのレイヤで送信されたデータを受信することと、
前記データが、多入力多出力（ＭＩＭＯ）あるいは多地点間協調（ＣｏＭＰ）を用いて１又は複数のＵＥに送られる場合は、複数のレイヤで送信されたデータを受信することと
を更に備え、前記１又は複数のＵＥは前記ＵＥを含む、
請求項１６に記載の方法。
【請求項１８】
前記ＵＥ−ＲＳのためのサブキャリアを決定することは、
データが１つのレイヤで送信される場合は、前記周波数シフトに基づいて、可能性のある複数のサブキャリアのセットの中から前記ＵＥ−ＲＳのためのサブキャリアのセットを選択することであって、前記複数のサブキャリアのセットは、周波数におけるオフセットであり、オーバラップしていないことと、
データが複数のレイヤで送信される場合は、前記ＵＥ−ＲＳのための前記予め定められたサブキャリアのセットを選択することと
を備える、請求項１６に記載の方法。
【請求項１９】
データが１つのレイヤで送信される場合は周波数シフトに基づいて、また、データが複数のレイヤで送信される場合は予め定められたサブキャリアのセットに基づいて、ユーザ機器固有基準信号（ＵＥ−ＲＳ）のためのサブキャリアを決定する手段と、
ＵＥにおいて、前記決定されたサブキャリアで前記ＵＥ−ＲＳを受信する手段と
を備える、無線通信のための装置。
【請求項２０】
データがビームステアリングを用いて前記ＵＥに送られる場合は、１つのレイヤで送信された前記データを受信する手段と、
データが多入力多出力（ＭＩＭＯ）あるいは多地点間協調（ＣｏＭＰ）を用いて１又は複数のＵＥに送られる場合は、複数のレイヤで送信された前記データを受信する手段と
を更に備え、前記１又は複数のＵＥは前記ＵＥを含む、
請求項１９に記載の装置。
【請求項２１】
前記ＵＥ−ＲＳのためのサブキャリアを決定する手段は、
データが１つのレイヤで送信される場合は、前記周波数シフトに基づいて、可能性のある複数のサブキャリアのセットの中から前記ＵＥ−ＲＳのためのサブキャリアのセットを選択する手段であって、前記複数のサブキャリアのセットは、周波数におけるオフセットであり、オーバラップしていない手段と、
データが複数のレイヤで送信される場合は、前記ＵＥ−ＲＳのための前記予め定められたサブキャリアのセットを選択する手段と
を備える、請求項１９に記載の装置。
【請求項２２】
データ伝送のために使用するレイヤの数に少なくとも部分的に基づいて、ユーザ機器固有基準信号（ＵＥ−ＲＳ）のためのサブキャリアを決定することと、
前記データ伝送のために使用するレイヤの数が１であると、セル識別子に基づいて第１のサブキャリアを決定することと、
前記データ伝送のために使用するレイヤの数が１よりも大きいと、前記セル識別子とは無関係に第２のサブキャリアを決定することと、
伝送のための前記第１あるいは第２のサブキャリアに、前記ＵＥ−ＲＳのための基準シンボルをマッピングすることと
を備える、無線通信のための方法。
【請求項２３】
前記データ伝送は、前記データ伝送を受信するＵＥの空間多重化伝送モードに関連付けられる、
請求項２２に記載の方法。
【請求項２４】
前記第２のサブキャリアを決定することは、等しいサブキャリア間隔を決定することを備える、
請求項２２に記載の方法。
【請求項２５】
前記等しいサブキャリア間隔に関連付けられたカウントは、前記データ伝送のリソースブロックの境界においてリセットされる、
請求項２４に記載の方法。
【請求項２６】
前記第２のサブキャリアを決定することは、予め定められたパターンを使用することを備える、
請求項２２に記載の方法。
【請求項２７】
前記予め定められたパターンは、無線通信システムにおけるセルのグループに共通している、
請求項２６に記載の方法。
【請求項２８】
前記サブキャリアを決定することは、前記データ伝送を受信するＵＥに関連付けられた識別子に少なくとも部分的に基づく、
請求項２２に記載の方法。
【請求項２９】
少なくとも１つの周波数シフトに基づいて複数のユーザ機器固有基準信号（ＵＥ−ＲＳ）のためのサブキャリアを決定することと、
複数のレイヤにおいて、前記決定されたサブキャリアで前記複数のＵＥ−ＲＳを少なくとも１つのＵＥに送信することと
を備える、無線通信のための方法。
【請求項３０】
前記複数のＵＥ−ＲＳのためのサブキャリアは、単一の周波数シフトに基づいて決定される、
請求項２９に記載の方法。
【請求項３１】
前記複数のＵＥ−ＲＳのためのサブキャリアを決定することは、
セルアイデンティティ（ＩＤ）に基づいて、前記周波数シフトを決定することと、
前記周波数シフトに基づいて可能性のある複数のサブキャリアのセットの中から前記複数のＵＥ−ＲＳのためのサブキャリアのセットを決定することと
を備え、前記複数のサブキャリアのセットは、周波数におけるオフセットであり、オーバラップしていない、
請求項３０に記載の方法。
【請求項３２】
可能性のある複数の周波数シフトから選択された前記周波数シフトを用いて、前記少なくとも１つのＵＥを構成することを更に備える、
請求項３０に記載の方法。
【請求項３３】
前記少なくとも１つのＵＥのための少なくとも１つのプリコーディングベクトルに基づいて、前記複数のＵＥ−ＲＳをプリコーディングすることと、
プリコーディングの後、前記複数のレイヤで前記複数のＵＥ−ＲＳを、すなわち、レイヤ毎に１つのＵＥ−ＲＳを送信することと
を更に備える、請求項２９に記載の方法。
【請求項３４】
前記少なくとも１つのＵＥは単一のＵＥを備え、前記複数のＵＥ−ＲＳは、単一ユーザ多入力多出力（ＳＵ−ＭＩＭＯ）のために前記単一のＵＥに、前記決定されたサブキャリアで単一のセルによって送信される、
請求項２９に記載の方法。
【請求項３５】
前記少なくとも１つのＵＥは複数のＵＥを備え、前記複数のＵＥ−ＲＳは、マルチユーザ多入力多出力（ＭＵ−ＭＩＭＯ）のために前記複数のＵＥに、前記決定されたサブキャリアで単一のセルによって送信される、
請求項２９に記載の方法。
【請求項３６】
前記少なくとも１つのＵＥは単一のＵＥを備え、前記複数のＵＥ−ＲＳは、多地点間協調（ＣｏＭＰ）のために前記単一のＵＥに、前記決定されたサブキャリアで複数のセルによって送信される、
請求項２９に記載の方法。
【請求項３７】
前記少なくとも１つのＵＥは複数のＵＥを備え、前記複数のＵＥ−ＲＳは、多地点間協調（ＣｏＭＰ）のために前記複数のＵＥに複数のセルによって送信される、
請求項２９に記載の方法。
【請求項３８】
前記少なくとも１つのＵＥは複数のＵＥを備え、各ＵＥは前記複数のＵＥ−ＲＳのうちの少なくとも１つを受信し、前記単一の周波数シフトは、前記複数のＵＥの全てのために使用される、
請求項３０に記載の方法。
【請求項３９】
前記少なくとも１つのＵＥは複数のＵＥを備え、前記少なくとも１つの周波数シフトは、前記複数のＵＥのための複数の周波数シフトを備え、各ＵＥは、異なる周波数シフトを有する、
請求項２９に記載の方法。
【請求項４０】
前記複数のＵＥ−ＲＳのためのサブキャリアを決定するために、前記少なくとも１つの周波数シフトを使用するかどうかを確認することと、
前記少なくとも１つの周波数シフトが前記複数のＵＥ−ＲＳのためのサブキャリアを決定するために使用されない場合、前記複数のＵＥ−ＲＳのための指定された固定サブキャリアを使用することと
を更に備える、請求項２９に記載の方法。
【請求項４１】
前記少なくとも１つの周波数シフトを使用するかどうかを確認することは、前記複数のＵＥ−ＲＳを送信するセルに適用可能なアイデンティティに基づいて、前記少なくとも１つの周波数シフトを使用するかどうかを確認することを備える、
請求項４０に記載の方法。
【請求項４２】
前記少なくとも１つの周波数シフトを使用するかどうかを確認することは、前記複数のＵＥ−ＲＳが送信されるサブフレームのタイプに基づいて、前記少なくとも１つの周波数シフトを使用するかどうかを確認することを備える、
請求項４０に記載の方法。
【請求項４３】
前記少なくとも１つの周波数シフトに基づくことなく、前記複数のＵＥ−ＲＳのための少なくとも１つの追加的なサブキャリアを決定することと、
前記少なくとも１つのＵＥに、前記複数のレイヤにおいて前記少なくとも１つの追加的なサブキャリアで前記複数のＵＥ−ＲＳを送信することと
を更に備える、請求項２９に記載の方法。
【請求項４４】
前記複数のＵＥ−ＲＳは、少なくとも１つのリソースブロックで送信され、前記少なくとも１つの追加的なサブキャリアは、前記少なくとも１つのリソースブロックの少なくとも１つのエッジの近くに位置する、
請求項４３に記載の方法。
【請求項４５】
前記決定されたサブキャリアは、少なくとも１つのリソースブロックにわたって均一に間隔を空けられ、前記少なくとも１つの追加的なサブキャリアは、前記少なくとも１つのリソースブロックにわたって均一に間隔を空けられてはいない、
請求項４３に記載の方法。
【請求項４６】
前記複数のＵＥ−ＲＳを送信することは、データセクションおよび制御セクションを備えるサブフレームのうちの前記データセクションのみにおいて、前記複数のＵＥ−ＲＳを送信することを備える、
請求項２９に記載の方法。
【請求項４７】
前記複数のＵＥ−ＲＳを送信することは、制御セクションを備えず、データセクションのみを備えるサブフレームの前記データセクションにおいて前記複数のＵＥ−ＲＳを送信することを備える、
請求項２９に記載の方法。
【請求項４８】
２つのレイヤにおいて２つのＵＥ−ＲＳが、すなわち、レイヤ毎に１つのＵＥ−ＲＳが、前記決定されたサブキャリアで送信される、
請求項２９に記載の方法。
【請求項４９】
少なくとも１つの周波数シフトに基づいて複数のユーザ機器固有基準信号（ＵＥ−ＲＳ）のためのサブキャリアを決定する手段と、
複数のレイヤにおいて、前記決定されたサブキャリアで前記複数のＵＥ−ＲＳを少なくとも１つのＵＥに送信する手段と
を備える、無線通信のための装置。
【請求項５０】
前記複数のＵＥ−ＲＳのためのサブキャリアは、単一の周波数シフトに基づいて決定される、
請求項４９に記載の装置。
【請求項５１】
前記少なくとも１つのＵＥのための少なくとも１つのプリコーディングベクトルに基づいて、前記複数のＵＥ−ＲＳをプリコーディングする手段と、
プリコーディングの後、前記複数のレイヤで前記複数のＵＥ−ＲＳを、すなわち、レイヤ毎に１つのＵＥ−ＲＳを送信する手段と
を更に備える、請求項４９に記載の装置。
【請求項５２】
前記少なくとも１つのＵＥは単一のＵＥを備え、前記複数のＵＥ−ＲＳは、単一ユーザ多入力多出力（ＳＵ−ＭＩＭＯ）のために、前記単一のＵＥに前記決定されたサブキャリアで単一のセルによって送信される、
請求項４９に記載の装置。
【請求項５３】
前記少なくとも１つのＵＥは複数のＵＥを備え、前記複数のＵＥ−ＲＳは、マルチユーザ多入力多出力（ＭＵ−ＭＩＭＯ）のために、前記複数のＵＥに前記決定されたサブキャリアで単一のセルによって送信される、
請求項４９に記載の装置。
【請求項５４】
前記少なくとも１つのＵＥは単一のＵＥを備え、前記複数のＵＥ−ＲＳは、多地点間協調（ＣｏＭＰ）のために前記単一のＵＥに前記決定されたサブキャリアで複数のセルによって送信される、
請求項４９に記載の装置。
【請求項５５】
前記少なくとも１つのＵＥは複数のＵＥを備え、前記複数のＵＥ−ＲＳは、多地点間協調（ＣｏＭＰ）のために前記複数のＵＥに複数のセルによって送信される、
請求項４９に記載の装置。
【請求項５６】
周波数シフトに基づいてユーザ機器固有基準信号（ＵＥ−ＲＳ）のためのサブキャリアを決定することと、
ＵＥにおいて、前記決定されたサブキャリアで前記ＵＥ−ＲＳを受信することと
を備え、前記ＵＥ−ＲＳは、前記ＵＥを含む少なくとも１つのＵＥに複数のレイヤで送信された複数のＵＥ−ＲＳのうちの１つである、
無線通信のための方法。
【請求項５７】
前記複数のＵＥ−ＲＳのためのサブキャリアを決定することは、
セルアイデンティティ（ＩＤ）に基づいて前記周波数シフトを決定することと、
前記周波数シフトに基づいて可能性のある複数のサブキャリアのセットの中から前記ＵＥ−ＲＳのためのサブキャリアのセットを決定することと
を備え、前記複数のサブキャリアのセットは、周波数におけるオフセットであり、オーバラップしていない、
請求項５６に記載の方法。
【請求項５８】
前記周波数シフトは、前記ＵＥのために構成され、可能性のある複数の周波数シフトから選択される、
請求項５６に記載の方法。
【請求項５９】
前記少なくとも１つのＵＥは前記ＵＥのみを備え、前記複数のＵＥ−ＲＳは、単一ユーザ多入力多出力（ＳＵ−ＭＩＭＯ）のために、前記ＵＥに、前記決定されたサブキャリアで単一のセルによって送信される、
請求項５６に記載の方法。
【請求項６０】
前記少なくとも１つのＵＥは、前記ＵＥを含む複数のＵＥを備え、前記複数のＵＥ−ＲＳは、マルチユーザ多入力多出力（ＭＵ−ＭＩＭＯ）のために、前記複数のＵＥに、前記決定されたサブキャリアで単一のセルによって送信される、
請求項５６に記載の方法。
【請求項６１】
前記少なくとも１つのＵＥは前記ＵＥのみを備え、前記複数のＵＥ−ＲＳは、多地点間協調（ＣｏＭＰ）のために、前記ＵＥに、前記決定されたサブキャリアで複数のセルによって送信される、
請求項５６に記載の方法。
【請求項６２】
前記少なくとも１つのＵＥは、前記ＵＥを含む複数のＵＥを備え、前記複数のＵＥ−ＲＳは、多地点間協調（ＣｏＭＰ）のために、前記複数のＵＥに複数のセルによって送信される、
請求項５６に記載の方法。
【請求項６３】
前記複数のＵＥ−ＲＳのためのサブキャリアを決定するために、前記少なくとも１つの周波数シフトを使用するかどうかを確認することと、
前記少なくとも１つの周波数シフトが前記複数のＵＥ−ＲＳのためのサブキャリアを決定するために使用されない場合、前記複数のＵＥ−ＲＳのための指定された固定サブキャリアを使用することと
を更に備える、請求項５６に記載の方法。
【請求項６４】
前記周波数に基づくことなく、前記ＵＥ−ＲＳのための少なくとも１つの追加的なサブキャリアを決定することと、
前記ＵＥにおいて、更に前記少なくとも１つの追加的なサブキャリアで前記ＵＥ−ＲＳを受信することと
を更に備える、請求項５６に記載の方法。
【請求項６５】
前記ＵＥ−ＲＳを受信することは、
データセクションおよび制御セクションを備えるサブフレームのうちの前記データセクションのみにおいて前記ＵＥ−ＲＳを受信することを備える、
請求項５６に記載の方法。
【請求項６６】
前記ＵＥ−ＲＳを受信することは、
データセクションのみを備え、制御セクションを備えていないサブフレームの前記データセクションにおいて前記ＵＥ−ＲＳを受信することを備える、
請求項５６に記載の方法。
【請求項６７】
周波数シフトに基づいてユーザ機器固有基準信号（ＵＥ−ＲＳ）のためのサブキャリアを決定する手段と、
ＵＥにおいて、前記決定されたサブキャリアで前記ＵＥ−ＲＳを受信する手段と
を備え、前記ＵＥ−ＲＳは、前記ＵＥを含む少なくとも１つのＵＥに複数のレイヤで送信された複数のＵＥ−ＲＳのうちの１つである、
無線通信のための方法。
【請求項６８】
前記複数のＵＥ−ＲＳのためのサブキャリアを決定する手段は、
セルアイデンティティ（ＩＤ）に基づいて前記周波数シフトを決定する手段と、
前記周波数シフトに基づいて、可能性のある複数のサブキャリアのセットの中から前記ＵＥ−ＲＳのためのサブキャリアのセットを決定する手段と
を備え、前記複数のサブキャリアのセットは、周波数におけるオフセットであり、オーバラップしていない、
請求項６７に記載の装置。
【請求項６９】
多地点間協調（ＣｏＭＰ）のために、ＵＥに複数のセルによって送信されるユーザ機器固有基準信号（ＵＥ−ＲＳ）のためのサブキャリアを決定することと、
前記ＵＥに前記決定されたサブキャリアで前記ＵＥ−ＲＳを送信することと
を備える、無線通信のための方法。
【請求項７０】
前記ＵＥ−ＲＳのためのサブキャリアは、指定された固定サブキャリアである、
請求項６９に記載の方法。
【請求項７１】
前記ＵＥ−ＲＳのためのサブキャリアは、周波数シフトに基づいて決定され、前記周波数シフトは、前記ＵＥのためのサービス提供セルのセルアイデンティティ（ＩＤ）に基づいて決定されるか、あるいは、前記ＵＥのために構成される、
請求項６９に記載の方法。
【請求項７２】
前記ＵＥ−ＲＳは、前記ＵＥに、単一のレイヤで送信される、
請求項６９に記載の方法。
【請求項７３】
ＣｏＭＰのために、第２のＵＥに、前記複数のセルによって送信される第２のＵＥ−ＲＳのための第２のサブキャリアを決定することと、
前記第２のＵＥに、前記第２のサブキャリアで前記第２のＵＥ−ＲＳを送信することと
を備え、前記ＵＥおよび第２のＵＥは両方とも少なくとも１つのリソースブロックでのデータ伝送のためにスケジューリングされ、前記ＵＥ−ＲＳおよび前記第２のＵＥ−ＲＳは、前記少なくとも１つのリソースブロックで送信される、
請求項６９に記載の方法。
【請求項７４】
多地点間協調（ＣｏＭＰ）のために、ＵＥに複数のセルによって送信されるユーザ機器固有基準信号（ＵＥ−ＲＳ）のためのサブキャリアを決定する手段と、
前記ＵＥに前記決定されたサブキャリアで前記ＵＥ−ＲＳを送信する手段と
を備える、無線通信のための装置。
【請求項７５】
前記ＵＥ−ＲＳのためのサブキャリアは、指定された固定サブキャリアである、
請求項７４に記載の装置。
【請求項７６】
前記ＵＥ−ＲＳのためのサブキャリアは、周波数シフトに基づいて決定され、前記周波数シフトは、前記ＵＥのためのサービス提供セルのセルアイデンティティ（ＩＤ）に基づいて決定されるか、あるいは、前記ＵＥのために構成される、
請求項７４に記載の装置。
【請求項７７】
多地点間協調（ＣｏＭＰ）のために、ＵＥに複数のセルによって送信されるユーザ機器固有基準信号（ＵＥ−ＲＳ）のためのサブキャリアを決定することと、
前記ＵＥにおいて、前記決定されたサブキャリアで前記ＵＥ−ＲＳを受信することと
を備える、無線通信のための方法。
【請求項７８】
前記ＵＥ−ＲＳのためのサブキャリアは、指定された固定サブキャリアである、
請求項７７に記載の方法。
【請求項７９】
前記ＵＥ−ＲＳのためのサブキャリアは、周波数シフトに基づいて決定され、前記周波数シフトは、前記ＵＥのためのサービス提供セルのセルアイデンティティ（ＩＤ）に基づいて決定されるか、あるいは、前記ＵＥのために構成される、
請求項７７に記載の方法。
【請求項８０】
多地点間協調（ＣｏＭＰ）のために、ＵＥに複数のセルによって送信されるユーザ機器固有基準信号（ＵＥ−ＲＳ）のためのサブキャリアを決定する手段と、
前記ＵＥにおいて、前記決定されたサブキャリアで前記ＵＥ−ＲＳを受信する手段と
を備える無線通信のための装置。
【請求項８１】
前記ＵＥ−ＲＳのためのサブキャリアは、指定された固定サブキャリアである、
請求項８０に記載の装置。
【請求項８２】
前記ＵＥ−ＲＳのためのサブキャリアは、周波数シフトに基づいて決定され、前記周波数シフトは、前記ＵＥのためのサービス提供セルのセルアイデンティティ（ＩＤ）に基づいて決定されるか、あるいは、前記ＵＥのために構成される、
請求項８０に記載の装置。
【請求項８３】
第１のサブフレームおよび第２のサブフレームを含む複数のサブフレームの中からサブフレームを選択することであって、前記第１のサブフレームはデータセクションおよび制御セクションを含み、前記第２のサブフレームはデータセクションのみを含むことと、
前記選択されたサブフレームのうちのデータセクションのみにおいて、ユーザ機器固有基準信号（ＵＥ−ＲＳ）を送信することと
を備える、無線通信のための方法。
【請求項８４】
前記サブフレームを選択することは、
制御情報が送られる第１のキャリアのために前記第１のサブフレームを選択することと、
制御情報が送られない第２のキャリアのために前記第２のサブフレームを選択することと
を備える、請求項８３に記載の方法。
【請求項８５】
前記第１のサブフレームは、前記ＵＥ−ＲＳのための第１のリソース要素のセットを示す第１のＵＥ−ＲＳパターンに関連付けられ、前記第２のサブフレームは、前記ＵＥ−ＲＳのための第２のリソース要素のセットを示す第２のＵＥ−ＲＳパターンに関連付けられる、
請求項８３に記載の方法。
【請求項８６】
前記第２のリソース要素のセットは、前記第１のリソース要素のセットと、前記ＵＥ−ＲＳのための少なくとも１つの追加的なリソース要素とを含む、
請求項８５に記載の方法。
【請求項８７】
前記第２のリソース要素のセットおよび前記第１のリソース要素のセットは、オーバラップしておらず、前記ＵＥ−ＲＳのための異なるリソースを含む、
請求項８５に記載の方法。
【請求項８８】
第１のサブフレームおよび第２のサブフレームを含む複数のサブフレームの中からサブフレームを選択する手段であって、前記第１のサブフレームはデータセクションおよび制御セクションを含み、前記第２のサブフレームはデータセクションのみを含む手段と、
前記選択されたサブフレームのうちのデータセクションのみにおいて、ユーザ機器固有基準信号（ＵＥ−ＲＳ）を送信する手段と
を備える、無線通信のための装置。
【請求項８９】
前記サブフレームを選択する手段は、
制御情報が送られる第１のキャリアのために前記第１のサブフレームを選択する手段と、
制御情報が送られない第２のキャリアのために前記第２のサブフレームを選択する手段と
を備える、請求項８８に記載の装置。
【請求項９０】
前記第１のサブフレームは、前記ＵＥ−ＲＳのための第１のリソース要素のセットを示す第１のＵＥ−ＲＳパターンに関連付けられ、前記第２のサブフレームは、前記ＵＥ−ＲＳのための第２のリソース要素のセットを示す第２のＵＥ−ＲＳパターンに関連付けられる、
請求項８８に記載の装置。
【請求項９１】
第１のサブフレームおよび第２のサブフレームを含む複数のサブフレームから選択されるサブフレームを決定することであって、前記第１のサブフレームはデータセクションおよび制御セクションを含み、前記第２のサブフレームはデータセクションのみを含むことと、
ＵＥにおいて、前記選択されたサブフレームのうちのデータセクションのみにおいてユーザ機器固有基準信号（ＵＥ−ＲＳ）を受信することと
を備える、無線通信のための方法。
【請求項９２】
前記第１のサブフレームは、制御情報が送られる第１のキャリアのために選択され、前記第２のサブフレームは制御情報が送られない第２のキャリアのために選択される、
請求項９１に記載の方法。
【請求項９３】
前記第１のサブフレームは、前記ＵＥ−ＲＳのための第１のリソース要素のセットを示す第１のＵＥ−ＲＳパターンに関連付けられ、前記第２のサブフレームは、前記ＵＥ−ＲＳのための第２のリソース要素のセットを示す第２のＵＥ−ＲＳパターンに関連付けられる、
請求項９１に記載の方法。
【請求項９４】
前記第２のリソース要素のセットは、前記第１のリソース要素のセットと、前記ＵＥ−ＲＳのための少なくとも１つの追加的なリソース要素とを含む、
請求項９３に記載の方法。
【請求項９５】
前記第２のリソース要素のセットおよび前記第１のリソース要素のセットは、オーバラップしておらず、前記ＵＥ−ＲＳのための異なるリソース要素を含む、
請求項９３に記載の方法。
【請求項９６】
第１のサブフレームおよび第２のサブフレームを含む複数のサブフレームから選択されるサブフレームを決定する手段であって、前記第１のサブフレームはデータセクションおよび制御セクションを含み、前記第２のサブフレームはデータセクションのみを含む手段と、
ＵＥにおいて、前記選択されたサブフレームのうちのデータセクションのみにおいてユーザ機器固有基準信号（ＵＥ−ＲＳ）を受信する手段と
を備える、無線通信のための装置。
【請求項９７】
前記第１のサブフレームは、制御情報が送られる第１のキャリアのために選択され、前記第２のサブフレームは、制御情報が送られない第２のキャリアのために選択される、
請求項９６に記載の装置。
【請求項９８】
前記第１のサブフレームは、前記ＵＥ−ＲＳのための第１のリソース要素のセットを示す第１のＵＥ−ＲＳパターンに関連付けられ、前記第２のサブフレームは、前記ＵＥ−ＲＳのための第２のリソース要素のセットを示す第２のＵＥ−ＲＳパターンに関連付けられる、
請求項９６に記載の装置。
【発明の詳細な説明】
【関連出願】
【０００１】
本願は、“A METHOD AND APPARATUS FOR USER EQUIPMENT REFERENCE SIGNAL PROCESSING IN A WIRELESS COMMUNICATION SYSTEM,”と題され、２００９年９月１０日に提出された米国特許仮出願６１／２４１２７９号に対する優先権を主張する。上記出願は、譲受人に譲渡され、参照によって本明細書に組み込まれる。
【技術分野】
【０００２】
本願は、一般に通信に関し、特に、無線通信ネットワークにおいて基準信号を送信および受信するための技術に関する。
【背景技術】
【０００３】
無線通信ネットワークは、音声、ビデオ、パケットデータ、メッセージング、ブロードキャストなどといった、様々な通信コンテンツを提供するために広く展開されている。これらの無線ネットワークは、利用可能なネットワークリソースを共有することによって複数のユーザをサポートすることが可能な、多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および、単一キャリアＦＤＭＡ（ＳＣ−ＦＤＭＡ）ネットワークを含む。
【０００４】
無線通信ネットワークは、多数のユーザ機器（ＵＥ）のための通信をサポートすることができる多数のセルを含みうる。セルとは、その用語が使用されるコンテキストに依存して、基地局および／あるいはその基地局のカバレッジエリアを称しうる。ＵＥは、下りリンクおよび上りリンクによってセルと通信しうる。下りリンク（すなわち、順方向リンク）は、セルからＵＥへの通信リンクを称し、上りリンク（すなわち、逆方向リンク）は、ＵＥからセルへの通信リンクを称する。セルは、基準信号およびデータをＵＥに送信しうる。基準信号は、チャネル推定および／あるいはその他の目的のために使用されうる。
【発明の概要】
【０００５】
無線ネットワークにおいてＵＥ固有基準信号（ＵＥ−ＲＳ）を送信および受信するための技術が本明細書において説明される。ＵＥ−ＲＳは、特定のＵＥに送られる基準信号あるいはパイロットである。一態様では、ＵＥ−ＲＳは、データ伝送のために使用されるレイヤ（あるいは、アンテナポート）の数に依存して、異なるやり方で送信されうる。一設計では、セルは、データを１つのレイヤと複数のレイヤのどちらで送信するかを決定しうる。セルは、データが１つのレイヤで送信される場合は周波数シフトに基づいて、また、データが複数のレイヤで送信される場合は（周波数シフトを用いることなく）予め定められたサブキャリアのセットに基づいて、ＵＥ−ＲＳのためのサブキャリアを決定しうる。周波数シフトは、ＵＥ−ＲＳを送信するためのサブキャリアを決定するために使用される周波数オフセットを称する。周波数シフトは、セルアイデンティティ（ＩＤ）によって決定されうるか、あるいは、その他のやり方で定義されうる。一設計では、セルは、データが１つのレイヤで送信される場合は、周波数シフトに基づいて、可能性のある複数のサブキャリアのセットの中からＵＥ−ＲＳのためのサブキャリアのセットを選択しうる。セルは、データが複数のレイヤで送信される場合は、ＵＥ−ＲＳのための予め定められたサブキャリアのセットを（すなわち、周波数シフトに基づくことなく）選択しうる。セルは、決定されたサブキャリアでＵＥ−ＲＳを送信しうる。セルはまた、前に決定されたように、１つのレイヤあるいは複数のレイヤでデータを送信しうる。
【０００６】
別の態様では、ＵＥ−ＲＳは、複数のレイヤでのデータ伝送のために周波数シフトに基づいて決定されたサブキャリアで送信されうる。一設計において、セルは、周波数シフトに基づいて複数のＵＥ−ＲＳのためのサブキャリアを決定しうる。セルは、少なくとも１つのＵＥに対して、複数のレイヤにおいて決定されたサブキャリアで複数のＵＥ−ＲＳを、例えば、レイヤ毎に１つのＵＥ−ＲＳを、送信しうる。セルはまた、少なくとも１つのＵＥに複数のレイヤでデータを送信しうる。
【０００７】
更に別の態様では、ＵＥ−ＲＳは、多地点間協調（ＣｏＭＰ）のために送信されうる。一設計では、セルは、ＣｏＭＰのために、ＵＥに複数のセルによって送信されるＵＥ−ＲＳのためのサブキャリアを決定し、このセルは、複数のセルのうちの１つである。ＵＥ−ＲＳのためのサブキャリアは、指定された固定サブキャリアであるか、あるいは、周波数シフトに基づいて決定されうる。セルは、決定されたサブキャリアで、ＵＥ−ＲＳをＵＥに送信しうる。
【０００８】
更に別の態様では、ＵＥ−ＲＳは、異なるタイプのサブフレームにおいて送信されうる。一設計では、セルは、第１および第２のサブフレームを含む複数のサブフレームの中からサブフレームを選択しうる。第１のサブフレームは、データセクションおよび制御セクションを含み、第２のサブフレームは、データセクションのみを含みうる。一設計では、第１のサブフレームは、制御情報が送られるキャリアでの通信のために選択され、第２のサブフレームは、制御情報が送られないキャリアでの通信のために選択されうる。セルは、選択されたサブフレームのうちのデータセクションのみにおいて、ＵＥ−ＲＳを送信しうる。
【０００９】
ＵＥは、１又は複数のセルによってＵＥに送信されたＵＥ−ＲＳを受信するための補完的な処理を実行しうる。本開示の様々な態様および特徴が、以下に更に詳細に説明される。
【図面の簡単な説明】
【００１０】
【図１】図１は、無線通信ネットワークを図示する。
【図２】図２は、単一ＵＥへの複数のセルからのＣｏＭＰ伝送を図示する。
【図３】図３は、基地局のブロック図を示す。
【図４】図４は、ＵＥのブロック図を示す。
【図５】図５は、例示的なフレーム構成を示す。
【図６】図６は、２つのレギュラーサブフレームフォーマットを示す。
【図７】図７は、２つのマルチキャスト／ブロードキャスト単一周波数ネットワーク（ＭＢＳＦＮ）サブフレームフォーマットを示す。
【図８Ａ】図８Ａは、異なる周波数シフトを伴う、１つのレイヤあるいはアンテナポートのためのＵＥ−ＲＳパターンを示す。
【図８Ｂ】図８Ｂは、異なる周波数シフトを伴う、１つのレイヤあるいはアンテナポートのためのＵＥ−ＲＳパターンを示す。
【図８Ｃ】図８Ｃは、異なる周波数シフトを伴う、１つのレイヤあるいはアンテナポートのためのＵＥ−ＲＳパターンを示す。
【図９】図９は、周波数シフトを伴わない、２つのアンテナポートのためのＵＥ−ＲＳパターンを示す。
【図１０Ａ】図１０Ａは、異なる周波数シフトを伴う、２つのアンテナポートのためのＵＥ−ＲＳを示す。
【図１０Ｂ】図１０Ｂは、異なる周波数シフトを伴う、２つのアンテナポートのためのＵＥ−ＲＳを示す。
【図１０Ｃ】図１０Ｃは、異なる周波数シフトを伴う、２つのアンテナポートのためのＵＥ−ＲＳを示す。
【図１１】図１１は、データセクションのみを有するフルサブフレームに関するアンテナポートのためのＵＥ−ＲＳパターンを示す。
【図１２】図１２は、データセクションのみを有するフルサブフレームに関するアンテナポートのためのＵＥ−ＲＳパターンを示す。
【図１３】図１３は、データ伝送のために使用されるアンテナポートの数に基づいて、ＵＥ−ＲＳを送信するための処理を示す。
【図１４】図１４は、アンテナポートの数に基づいて、ＵＥ−ＲＳを受信するための処理を示す。
【図１５】図１５は、周波数シフトを伴ってＵＥ−ＲＳを送信するための処理を示す。
【図１６】図１６は、周波数シフトを伴ってＵＥ−ＲＳを受信するための処理を示す。
【図１７】図１７は、ＣｏＭＰのためにＵＥ−ＲＳを送信するための処理を示す。
【図１８】図１８は、ＣｏＭＰのためにＵＥ−ＲＳを受信するための処理を示す。
【図１９】図１９は、選択されたサブフレームにおいてＵＥ−ＲＳを送信するための処理を示す。
【図２０】図２０は、選択されたサブフレームにおいてＵＥ−ＲＳを受信するための処理を示す。
【図２１】図２１は、基地局およびＵＥのブロック図を示す。
【発明を実施するための形態】
【００１１】
本明細書において説明された技術は、ＣＤＭＡ、ＴＤＭＡ、ＦＤＭＡ、ＯＦＤＭＡ、ＳＣ−ＦＤＭＡおよびその他のシステムのような、様々な無線通信ネットワークのために使用されうる。用語「ネットワーク」および「システム」は、しばしば置換可能なように使用されうる。ＣＤＭＡネットワークは、ユニバーサル・テレストリアル無線接続（ＵＴＲＡ）やｃｄｍａ２０００などのようなラジオ技術を実現しうる。ＵＴＲＡは、広帯域ＣＤＭＡ（ＷＣＤＭＡ）およびＣＤＭＡのその他の変形を含む。ｃｄｍａ２０００は、ＩＳ−２０００規格、ＩＳ−９５規格、およびＩＳ−８５６規格をカバーする。ＴＤＭＡネットワークは、グローバル・システム・フォー・モバイル・コミュニケーション（ＧＳＭ（登録商標））のようなラジオ技術を実現しうる。ＯＦＤＭＡネットワークは、発展型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）等のようなラジオ技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）およびＬＴＥ−Ａｄｖａｎｃｅｄ（ＬＴＥ−Ａ）は、Ｅ−ＵＴＲＡを使用するＵＭＴＳの最新リリースである。これは、下りリンクでＯＦＤＭＡを使用し、上りリンクでＳＣ−ＦＤＭＡを使用する。ＵＴＲＡ、Ｅ−ＵＴＲＡ、ＵＭＴＳ、ＬＴＥ、ＬＴＥ−Ａ、およびＧＳＭは“第３世代パートナシップ・プロジェクト”（３ＧＰＰ）と命名された団体からの文書において説明される。ｃｄｍａ２０００およびＵＭＢは「第３世代パートナシップ・プロジェクト２」（３ＧＰＰ２）と命名された団体からの文書において説明される。本明細書において説明される技術は、上述された無線ネットワークおよびラジオ技術と同様に、その他の無線ネットワークおよびラジオ技術のために使用されうる。明確化のために、この技術の特定の態様は、ＬＴＥに関して以下に説明され、ＬＴＥという用語が、以下の説明の大部分において使用される。
【００１２】
図１は、ＬＴＥネットワークあるいはその他何らかの無線ネットワークでありうる無線通信ネットワーク１００を図示する。無線ネットワーク１００は、多数の発展型ノードＢ（ｅＮＢ）１１０およびその他のネットワークエンティティを含みうる。ｅＮＢは、ＵＥと通信するエンティティであり、基地局、ノードＢ、アクセスポイントなどとも称されうる。各ｅＮＢ１１０は、特定の地理的エリアのために通信カバレッジを提供し、カバレッジエリア内に位置するＵＥのための通信をサポートしうる。ネットワークキャパシティを向上するために、ｅＮＢの全カバレッジエリアは、複数（例えば３つ）のより小さいエリアに分けられうる。より小さい各エリアは、それぞれのｅＮＢサブシステムによってサービス提供されうる。３ＧＰＰでは、用語「セル」は、ｅＮＢの最小カバレッジエリアおよび／あるいはこのカバレッジエリアにサービス提供するｅＮＢサブシステムを称しうる。３ＧＰＰ２では、用語「セクタ」あるいは「セル−セクタ」は、基地局の最も小さいカバレッジエリア、および／あるいはこのカバレッジエリアにサービス提供している基地局サブシステムを称しうる。明確化のために、セルの３ＧＰＰ概念が本明細書における説明において使用される。ｅＮＢは、１又は複数（例えば、３つ）のセルをサポートしうる。
【００１３】
ネットワークコントローラ１３０はｅＮＢのセットに結合され、これらのｅＮＢのために協調および制御を提供しうる。ネットワークコントローラ１３０は、バックホールによって、ｅＮＢと通信しうる。これらのｅＮＢはまた、例えば、無線あるいは有線バックホールによって、直接あるいは間接的に互いと通信しうる。
【００１４】
ＵＥ１２０は無線ネットワークにわたって分散され、各ＵＥはステイショナリ−あるいはモバイルでありうる。ＵＥは、例えば、移動局、端末、アクセス端末、加入者ユニット、局などとも称されうる。ＵＥは、セルラ電話、携帯情報端末（ＰＤＡ）、無線モデム、無線通信デバイス、ハンドヘルドデバイス、ラップトップコンピュータ、コードレス電話、無線ローカルループ（ＷＬＬ）局、スマートフォン、ネットブック、スマートブックなどでありうる。
【００１５】
伝送モードのセットが、下りリンクでのデータ伝送のためにサポートされうる。各伝送モードは、セルが、１又は複数のリソースブロックを含みうる所与の時間−周波数リソースで１又は複数のＵＥにデータおよび基準信号を送信できる特定のやり方を定義しうる。表１は、サポートされうるいくつかの伝送モードを記載し、各伝送モードの簡単な説明を提供する。その他の伝送モードはまた、下りリンクでのデータ伝送のためにサポートされうる。  
【表１】
2013504941.tif 000003
【００１６】
ビームステアリングモードは、ビームステアリングを用いた、セルからＵＥへの１つのデータストリームの伝送をサポートしうる。ビームステアリングは、ターゲットＵＥに向かうように、および／あるいは、意図されないＵＥから離れるように、伝送の空間方向を制御するための処理である。ビームステアリングは、下記のように、セルにおいてプリコーディングベクトルを用いてプリコーディングを実行することによって達成されうる。  
【数１】
2013504941.tif 000004
【００１７】
ここで、ｓ（ｋ、ｎ）は、シンボル期間ｎにおいてサブキャリアｋで送信するための変調シンボルである。
【００１８】
ｐは、Ｔ×１プリコーディングベクトルであり、ここで、Ｔは、送信アンテナの数である。
【００１９】
ｘ（ｋ，ｎ）は、シンボル期間ｎにおいてサブキャリアｋで、Ｔ個の送信アンテナから送信するための出力シンボルのＴ×１ベクトルである。
【００２０】
ＭＩＭＯモードは、単一ユーザＭＩＭＯ（ＳＵ−ＭＩＭＯ）および／あるいはマルチユーザＭＩＭＯ（ＭＵ−ＭＩＭＯ）をサポートしうる。ＳＵ−ＭＩＭＯでは、セルはプリコーディングを用いて又は用いずに、所与の時間−周波数リソースで単一のＵＥに複数のデータストリームを送信しうる。ＭＵ−ＭＩＭＯでは、セルは、プリコーディングを用いて又は用いずに、同じ時間−周波数リソースで複数のＵＥに複数のデータストリーム（例えば、ＵＥ毎に１つのデータストリーム）を送信しうる。
【００２１】
ＣｏＭＰモードは、協調伝送および／あるいはジョイント処理をサポートしうる。協調伝送では、複数のセルは、データ伝送がＵＥに向かうように、および／あるいは１又は複数の干渉されているＵＥから離れるようにステアリングされるように、所与の時間−周波数リソースで単一のＵＥに１又は複数のデータストリームを送信しうる。ジョイント処理では、複数のセルが、プリコーディングを用いて又は用いずに、同じ時間−周波数リソースで複数のＵＥに複数のデータストリーム（例えば、ＵＥ毎に１つのデータストリーム）を送信しうる。
【００２２】
図２は、複数のセルから単一のＵＥへのＣｏＭＰ伝送の例を示す。測定セットは、ＣｏＭＰモードで動作するＵＥのために維持されうる。この測定セットは、データをＵＥに送信することができる全てのセルを含みうる。この測定セットにおけるセルは、同じｅＮＢあるいは異なるｅＮＢに属しうる。測定セットにおけるセルの全て、あるいはそのうちのサブセットは任意の所与の時間においてＵＥにデータを送信し、また、ＵＥに送信しているそれらのセルはＵＥのためのＣｏＭＰセットに含まれる。図２に示される例では、ＣｏＭＰセットはＭ個のセルを含む。ここで、Ｍは１よりも大きい任意の値でありうる。ＣｏＭＰセットにおける１つのセルが、ＵＥのためのサービス提供セルとして指定され、ＵＥに対するＣｏＭＰ伝送を調整しうる。ＣｏＭＰセットにおけるその他の（複数の）セルは、（複数の）非サービス提供セルと称されうる。ＣｏＭＰセットにおけるセルは、バックホールによって直接的に、あるいはネットワークエンティティ（例えば、図１におけるネットワークコントローラ１３０）によって間接的に互いと通信して、ＵＥに対するデータおよびＵＥ−ＲＳの伝送を調整しうる。ＣｏＭＰは、セルの境界に位置するセルエッジＵＥの性能を向上させるために使用されうる。
【００２３】
一般的に、１又は複数のデータストリームは、所与の時間−周波数リソースで、１又は複数のＵＥに対して、１又は複数のレイヤで送信されうる。レイヤは、データ伝送のために使用されうる空間チャネルとみなされうる。簡略化のために、以下の説明は、１つのデータストリームが１つのレイヤで１つのＵＥに送信されうるものと仮定する。データストリームは、ＬＴＥにおいては１つのサブフレームでありうる、１つの伝送時間間隔（ＴＴＩ）においてパケットあるいはトランスポートブロックを搬送しうる。各レイヤは、データを送信するために使用されうる１つのアンテナポートに関連付けられうる。アンテナポートは、物理アンテナ、あるいは物理アンテナのセットによって形成される仮想アンテナに対応しうる。「レイヤ」、「アンテナポート」、および「データストリーム」という用語は、置換可能なように使用されうる。ビームフォーミングモードは、単一のＵＥに対する単一のレイヤでの（あるいは、１つのアンテナポートからの）データ伝送をサポートしうる。ＭＩＭＯモードは、１又は複数のＵＥに対する、複数のレイヤでの（あるいは、複数のアンテナポートからの）データ伝送をサポートしうる。ＣｏＭＰモードは、１又は複数のＵＥに対する１又は複数のレイヤでの（あるいは、１又は複数のアンテナポートからの）データ伝送をサポートしうる。
【００２４】
図３は、図１におけるｅＮＢのうちの１つでありうるｅＮＢ１１０ｘの設計のブロック図を示す。図３は、ｅＮＢ１１０ｘによってサポートされる１つのセルのための処理を示す。ｅＮＢ１１０ｘ内で、データプロセッサ３１０は、１又は複数のＵＥのためのデータを受信し、そのＵＥのために選択された１又は複数の変調およびコーディングスキームに基づいて各ＵＥのためのデータを処理し、全てのＵＥのためにデータ変調シンボル（あるいはデータシンボル）を提供しうる。レイヤマッパ３１２は、使用するために選択された１又は複数のレイヤに対して全てのＵＥのためのデータシンボルをマッピングしうる。一設計では、各ＵＥのためのデータが少なくとも１つのレイヤで送られうる。例えば、単一のＵＥのためのデータが１つ又は２つのレイヤで送られうる。別の例として、２つのＵＥのためのデータが２つのレイヤで、すなわち、各ＵＥにつき１つのレイヤで送られうる。プリコーダ３１４は、各レイヤのためのプリコーディングベクトルに基づいて、使用するために選択された全てのレイヤに対するデータシンボルのためのプリコーディングを実行し、ｅＮＢ１１０ｘにおけるＴ個のアンテナのためにプリコーディングされたデータシンボルを提供しうる。各レイヤのためのプリコーディングベクトルによって、データが、ｅＮＢ１１０ｘにおけるＴ個の送信アンテナの全て、あるいはそのうちのサブセットによって送信されることが引き起こされる。
【００２５】
ＵＥ−ＲＳ生成器３２２は、使用のために選択された各レイヤについてのＵＥ−ＲＳのための基準シンボルを生成しうる。プリコーディング器３２４は、各レイヤのためのプリコーディングベクトルに基づいて、使用のために選択された全てのレイヤに対する全てのＵＥ−ＲＳについての基準シンボルのためにプリコーディングを実行し、ｅＮＢ１１０ｘにおけるＴ個の送信アンテナ全てのために、プリコーディングされた基準シンボルを提供しうる。
【００２６】
デマルチプレクサ（Ｄｅｍｕｘ）３３０は、プリコーダ３１４からのプリコードされたデータシンボルと、プリコーダ３２４からのプリコードされた基準シンボルとを受信しうる。デマルチプレクサ３３０は、Ｔ個のリソース要素マッパ３３２ａ乃至３３２ｔに、Ｔ個の送信アンテナのためのプリコードされたデータシンボルおよびプリコードされた基準シンボルを提供しうる。各リソース要素マッパ３３２は、データのために使用されるリソース要素に対してプリコードされたデータシンボルをマッピングし、ＵＥ−ＲＳのために使用されるリソース要素に対してプリコードされた基準シンボルをマッピングし、関連付けられた直交周波数分割多重化（ＯＦＤＭ）変調器３３４に対して、マッピングされたシンボルを提供しうる。各変調器３３４は、関連付けられたリソース要素マッパ３３２からの、マッピングされたシンボルに基づいて、ＯＦＤＭシンボルを生成しうる。ＯＦＤＭ変調器３３４ａ乃至３３４ｔからのＯＦＤＭシンボルは、Ｔ個のアンテナ３３６ａ乃至３３６ｔによってそれぞれ送信されうる。
【００２７】
ユニット３４０は、ＵＥ−ＲＳに対して使用するためのサブキャリアあるいはリソース要素を決定しうる。ユニット３４０は、データ伝送のために使用されるレイヤの数や、ｅＮＢ１１０ｘによってサービス提供されるセルのセルアイデンティティ（ＩＤ）などといった、入力を受信しうる。ユニット３４０は、この入力に基づいて、ＵＥ−ＲＳに対して使用するためのサブキャリアあるいはリソース要素を決定し、この情報を各リソース要素マッパ３３２に提供しうる。各リソース要素マッパ３３２は、ユニット３４０からの情報に基づいて、適切なリソース要素に対して、プリコードされたデータシンボルおよびプリコードされた基準シンボルをマッピングしうる。ユニット３４０の動作は、以下に詳細に説明される。
【００２８】
図４は、図１におけるＵＥのうちの１つでありうるＵＥ１２０ｘの設計のブロック図を示す。ＵＥ１２０内において、Ｒ個の受信アンテナ４１２ａ乃至４１２ｒは、ｅＮＢ１１０ｘから下りリンク伝送を受信し、各アンテナ４１２は、関連付けられたＯＦＤＭ復調器（Ｄｅｍｏｄ）４１４に、受信された信号を提供しうる。各ＯＦＤＭ復調器４１４は、受信された信号にＯＦＤＭ復調を実行し、各受信されたＯＦＤＭシンボルに関して、下りリンク伝送のために使用された全てのサブキャリアのために、受信されたシンボルを提供しうる。Ｒ個のリソース要素デマッパ４１６ａ乃至４１６ｒは、Ｒ個のＯＦＤＭ復調器４１４ａ乃至４１４ｒから、受信されたシンボルをそれぞれ取得しうる。各リソース要素デマッパ４１６は、受信されたシンボルのデマッピングを実行し、データ伝送のために使用されたリソース要素からの受信されたデータシンボルを提供し、ＵＥ−ＲＳのために使用されたリソース要素からの受信された基準シンボルを提供しうる。デマルチプレクサ４２０は、Ｒ個のリソース要素デマッパ４１６ａ乃至４１６ｒの全てから、受信されたデータシンボルおよび受信された基準シンボルを取得し、全てのデマッパ４１６からの受信された基準シンボルをチャネル推定器４２２に提供し、全てのデマッパ４１６からの受信されたデータシンボルをＭＩＭＯ検出器４２４に提供しうる。チャネル推定器４２２は、受信された基準シンボルに基づいて、ＵＥ１２０ｘに対して使用される各レイヤのためのチャネル推定値を導出しうる。ＭＩＭＯ検出器４２４は、ＵＥ１２０ｘのために使用される全てのレイヤについてのチャネル推定値に基づいて、受信されたデータシンボルにＭＩＭＯ検出を実行し、検出されたシンボルを提供しうる。データプロセッサ４２６は、ＵＥ１２０ｘのために選択された１又は複数の変調およびコーディングスキームに基づいて、検出されたシンボルを処理し、ＵＥ１２０ｘのために復号されたデータを提供しうる。
【００２９】
ユニット４４０は、ＵＥ−ＲＳのために使用されるサブキャリアあるいはリソース要素を決定しうる。ユニット４４０は、データ伝送のために使用されるレイヤの数や、サービス提供セルのセルＩＤなどといった、入力を受信しうる。ユニット４４０は、この入力に基づいてＵＥ−ＲＳに対して使用するためのサブキャリアあるいはリソース要素を決定し、この情報を各リソース要素デマッパ４１６に提供しうる。各リソース要素デマッパ４１６は、ユニット４４０からの情報に基づいて、適切なリソース要素からの受信されたデータシンボルおよび受信された基準シンボルをデマッピングしうる。
【００３０】
図３および図４は、ｅＮＢ１１０ｘおよびＵＥ１２０ｘの例示的な設計を示す。ｅＮＢ１１０ｘおよびＵＥ１２０ｘはまた、その他のやり方で実施されうる。
【００３１】
図５は、ＬＴＥにおける周波数分割多重化（ＦＤＤ）のために使用されるフレーム構成５００を示す。下りリンクおよび上りリンクの各々のための伝送タイムラインは、複数のラジオフレームのユニットに分けられうる。各ラジオフレームは、予め定められた持続時間（例えば、１０ミリ秒（ｍｓ））を有し、０乃至９のインデックスで１０個のサブフレームに分けられうる。各サブフレームは２つのスロットを含みうる。各ラジオフレームは、このように、０乃至１９のインデックスで２０個のスロットを含みうる。各スロットは、Ｌ個のシンボル期間、例えば、（図５に示されるように）通常サイクリック・プレフィックスに対して７個のシンボル期間、あるいは、拡張サイクリック・プレフィックスに対して６個のシンボル期間を含みうる。各サブフレームにおける２Ｌ個のシンボル期間は、０乃至２Ｌ−１個のインデックスに割り当てられうる。
【００３２】
ＬＴＥは、下りリンクでは直交周波数分割多重化（ＯＦＤＭ）を利用し、上りリンクでは単一キャリア周波数分割多重化（ＳＣ−ＦＤＭ）を利用する。ＯＦＭＤおよびＳＣ−ＦＤＭは、周波数範囲を複数（ＮＦＦＴ個）の直交サブキャリアに分ける。これらはまた通常、トーンやビンなどと称される。各サブキャリアは、データとともに変調されうる。一般的に、変調シンボルは、ＯＦＤＭを用いて周波数領域において送られ、ＳＣ−ＦＤＭを用いて時間領域において送られる。隣接するサブキャリア間の間隔は一定であり、サブキャリアの総数（ＮＦＦＴ）は、システム帯域幅に依存しうる。例えば、ＮＦＦＴは、１．２５、２．５、５、１０、あるいは２０ＭＨｚのシステム帯域幅に対して、１２８、２５６、５１２、１０２４あるいは２０４８にそれぞれ等しくなりうる。
【００３３】
下りリンクおよび上りリンクの各々について、多数のリソースブロックが、ＮＦＦＴ個の全てのサブキャリアとともに、各スロットにおいて定義されうる。各スロットにおけるリソースブロックの数は、システム帯域幅に依存し、１．２５から２０ＭＨｚのシステム帯域幅に対して、６個から１１０個の間である。各リソースブロックは、１つのスロットにおいて１２個のサブキャリアをカバーし、多数のリソース要素を含みうる。各リソース要素は、１つのシンボル期間において１つのサブキャリアをカバーし、１つの変調シンボルを送るために使用されうる。これは、実数値あるいは複素数値でありうる。
【００３４】
ＬＴＥは、下りリンクのためのいくつかのサブフレームフォーマットをサポートする。各サブフレームフォーマットは、例えば、そのフォーマットのサブフレームにおいて送られる特定の信号およびチャネル、および／あるいは、信号あるいはチャネルがサブフレームにおいて送られる特定のやり方、といったある特徴に関連付けられうる。異なるフォーマットのサブフレームが、異なる目的のために使用されうる。
【００３５】
図６は、ＬＴＥにおける下りリンクのために使用されうる２つのレギュラーサブフレームフォーマット６１０、６２０を示す。図６に示される通常サイクリック・プレフィックスでは、左スロットは０乃至６の７個のシンボル期間を含み、右スロットは、７個のシンボル期間７乃至１３を含む。
【００３６】
サブフレームフォーマット６１０は、２つのアンテナポートを装備するｅＮＢによって使用されうる。セル固有基準信号（ＣＲＳ）は、シンボル期間０、４、７、１１において、アンテナポート０および１から送信されうる。基準信号は、送信機および受信機によってアプリオリに知られている信号であり、パイロットとも称されうる。ＣＲＳは、例えば、セルＩＤに基づいて生成されるような、セル固有の基準信号である。図６において、ラベルＲｐを有する所与のリソース要素について、変調シンボルは、アンテナポートｐからのそのリソース要素で送信され、その他のアンテナポートからは、そのリソース要素で変調シンボルは送信されない。サブフレームフォーマット６２０は、４つのアンテナポートを装備したｅＮＢのために使用されうる。ＣＲＳは、シンボル期間０、４、７、１１においてはアンテナポート０および１から送信され、シンボル期間１、８においてはアンテナポート２、３において送信されうる。一設計では、ＣＲＳのために使用されるアンテナポート０、１、２、３は、ｅＮＢにおける物理アンテナに対応しうる。別の設計では、ＣＲＳのために使用されるアンテナポート０、１、２、３は、ｅＮＢにおける仮想アンテナあるいはレイヤに対応しうる。
【００３７】
図６に示されるように、セルは、サブフレームのいくつかのシンボル期間において、３つ目のサブフレーム毎に、ＣＲＳを送信しうる。異なるセルからのＣＲＳ間の干渉を最小化するために、各セルは、そのセルのセルＩＤに基づいて決定されるサブキャリアのセットでＣＲＳを送信しうる。特に、セル固有周波数シフトは、以下に示されるように、セルに関して決定されうる。  
【数２】
2013504941.tif 000005
【００３８】
ここで、  
【数３】
2013504941.tif 000006
【００３９】
は、セルのセルＩＤであり、ｖｓｈｉｆｔは、セルについての周波数シフトである。
【００４０】
ＣＲＳのために使用されるサブキャリアは、周波数シフトの関数に基づいて決定されうる。異なるセルＩＤを有する異なるセルは、異なる周波数シフトに関連付けられ、その後、異なるサブキャリアでそれらのＣＲＳを送信しうる。これらのセルは、それらのＣＲＳの衝突を回避しうる。基準信号のために使用されるサブキャリアは、ＲＳサブキャリアあるいはＲＳトーンと称されうる。基準信号のために使用されるリソース要素は、ＲＳリソース要素と称されうる。
【００４１】
サブフレームフォーマット６１０、６２０の両方について、サブフレームは、制御セクションと、その後に続くデータセクションとを含みうる。制御セクションは、サブフレームの最初のＱ個のシンボル期間を含みうる。ここで、Ｑは、１、２、３、あるいは４に等しくなりうる。Ｑは、サブフレーム毎に変化し、サブフレームの第１のシンボル期間において伝達されうる。制御セクションは、（ｉ）制御セクションのサイズ（すなわち、Ｑの値）を伝達する物理制御フォーマットインジケータチャネル（ＰＣＦＩＣＨ）と、（ｉｉ）上りリンクでＵＥによって送られるデータ伝送のためのアクノレッジメント（ＡＣＫ）情報を搬送する物理ハイブリッドＡＲＱインジケータチャネル（ＰＨＩＣＨ）と、（ｉｉｉ）ＵＥのための下りリンク制御情報を搬送する物理下りリンク制御チャネル（ＰＤＣＣＨ）といったような、様々な制御チャネルを搬送しうる。データセクションは、サブフレームの残りの２Ｌ−Ｑ個のシンボル期間を含み、データおよび／あるいはＵＥのためのその他の情報を搬送する物理リンク下り共有チャネル（ＰＤＳＣＨ）を搬送しうる。
【００４２】
図７は、ＬＴＥにおける下りリンクのために使用されうる２つのＭＢＳＦＮサブフレームフォーマット７１０、７２０を示す。ＭＢＳＦＮサブフレームは、マルチメディアブロードキャスト／マルチキャストサービス（ＭＢＭＳ）のための単一周波数ネットワーク（ＳＦＮ）伝送を送るために使用されうる。ＭＢＳＦＮサブフレームはまた、例えば、中継通信、ピアツーピア通信、機械通信などといった、その他の特徴をサポートするために使用されうる。図７において示される拡張サイクリック・プレフィックスでは、左スロットが６個のシンボル期間０乃至５を含み、右スロットが６個のシンボル期間６乃至１１を含む。
【００４３】
サブフレームフォーマット７１０は、２つのアンテナポートを装備するｅＮＢによって使用されうる。ＣＲＳは、シンボル期間０においてアンテナポート０、１から送信されうる。図７に示される例において、図７における左のサブフレームについてＱ＝１であり、制御セクションは１つのシンボル期間をカバーする。サブフレームフォーマット７２０は、４個のアンテナポートを装備するｅＮＢによって使用されうる。ＣＲＳは、シンボル期間０においてアンテナポート０、１から送信され、シンボル期間１においてアンテナポート２、３から送信されうる。図７において示される例では、図７における右のサブフレームについてＱ＝２であり、制御セクションは２つのシンボル期間をカバーする。サブフレームフォーマット７１０、７２０の両方について、ＭＢＭＳ基準信号（ＭＢＭＳ−ＲＳ）は、図７に示されるように、シンボル期間２、６、１０においてアンテナポート４から送信されうる。ＭＢＭＳ−ＲＳは、ＭＢＭＳサブフレームのデータセクションにおいて送られたＳＦＮ伝送を復調するために使用されうる。
【００４４】
表１に記載された伝送モードの各々について、ＵＥ−ＲＳは、１又は複数のセルから、下りリンクでデータ伝送を受信しているＵＥに送信されうる。ＵＥ−ＲＳは、下りリンクでセルによって送信されたＣＲＳおよびＭＢＭＳ−ＲＳとは異なりうる。ビームステアリングおよびＭＩＭＯモードでは、ＵＥ−ＲＳは、ＵＥのためのデータをプリコードするために使用されるプリコーディングベクトルあるいは行列を用いて生成されうる。ＣｏＭＰモードでは、ＵＥ−ＲＳは、複数のセルによるプリコーディングを用いて又は用いることなく、同時にＵＥに送信されうる。任意のケースでは、いくつかのリソース要素が、ＵＥ−ＲＳの伝送のために割り当てられうる。ＵＥ−ＲＳパターンは、ＵＥ−ＲＳを送信するのにどのリソース要素を使用するかを示しうる。
【００４５】
図８Ａは、１つのアンテナポートを使用するビームフォーミングモードのためのＵＥ−ＲＳパターン８００を示す。セルは、シンボル期間３、９において第１のサブキャリアのサブセットで、また、シンボル期間６、１２において第２のサブキャリアのサブセットで、アンテナポート５からＵＥ−ＲＳを送信しうる。ＵＥ−ＲＳは、ＣＲＳが送信されないシンボル期間において送信されうる。各サブセットは、４つのサブキャリアで間隔を空けられた複数のサブキャリアを含みうる。第２のサブセットにおけるサブキャリアは、図８Ａにおいて示されるように、第１のサブセットにおけるサブキャリアから互い違いに配置（stagger）されうる。ＵＥ−ＲＳパターン８００は、周波数シフト０に関連付けられうる。
【００４６】
図８Ｂは、周波数シフト１に関連付けられたＵＥ−ＲＳパターン８０２を示す。図８Ｃは、周波数シフト２に関連付けられたＵＥ−ＲＳパターン８０４を示す。図８Ａ、８Ｂ、８Ｃにおいて示されるように、異なる周波数シフトに対するＵＥ−ＲＳパターンは、周波数において互い違いに配置され、オーバラップしていないＲＳサブキャリアを含みうる。
【００４７】
ビームフォーミングモードでは、所与のセルによってＵＥ−ＲＳを送信するのに使用するためのサブキャリアが、セルのための周波数シフトｖｓｈｉｆｔの関数に基づいて決定されうる。これは、式（２）において示されるように、セルＩＤに基づいて決定されうる。同じ周波数シフトが、ＣＲＳおよびＵＥ−ＲＳの両方のためのサブキャリアを決定するために使用されうる。図８Ａ、８Ｂ、８Ｃに示されるように、これらのセルＸ、Ｙ、Ｚは、異なるセルＩＤを有し、異なる周波数シフト０、１、２にそれぞれ関連付けられうる。セルＸ、Ｙ、Ｚは、これらのセルからのＣＲＳおよびＵＥ−ＲＳ間の衝突を回避するために、（図８Ａ、８Ｂ、８Ｃに示されるような）異なるサブキャリアでそれらのＣＲＳおよびＵＥ−ＲＳを送信しうる。
【００４８】
態様において、ＵＥ−ＲＳパターンは、ＭＩＭＯおよびＣｏＭＰモードのために、多レイヤビームフォーミングのための複数のアンテナポートからのＵＥ−ＲＳの伝送をサポートするように定義されうる。ＵＥ−ＲＳパターンは、異なるセルにおけるＵＥのために、一貫したチャネル推定の性能を提供するものとする。複数のアンテナポートに対するＵＥ−ＲＳパターンの様々な例示的な設計が、以下に説明される。
【００４９】
第１の設計では、ＵＥ−ＲＳ周波数シフトは用いられず、同じＵＥ−ＲＳパターンが全てのセルによって使用されうる。ＵＥ−ＲＳパターンは、各アンテナポートに対するＵＥ−ＲＳのためのリソース要素のセットを含みうる。全てのアンテナポートに対するＵＥ−ＲＳのためのリソース要素は、優れたチャネル推定が達成されることができるように割り振られうる。
【００５０】
図９は、周波数シフトを伴わない、２つのアンテナポートからのデータ伝送のためのＵＥ−ＲＳパターン９００の設計を示す。ＵＥ−ＲＳパターン９００は、ＭＩＭＯモードおよび／あるいはＣｏＭＰモードのために使用されうる。セルは、シンボル期間３、４において第１のサブキャリアのサブセットで、また、シンボル期間９、１０において第２のサブキャリアのサブセットで、２つのアンテナポート（例えば、アンテナポート７、８）から２つのＵＥ−ＲＳを送信しうる。セルは、２つのアンテナポートから同じリソース要素で２つのＵＥ−ＲＳを送信しうる。
【００５１】
図９に示される設計では、ＵＥ−ＲＳは、ＵＥ−ＲＳが送信されるシンボル期間の各々において、周波数にわたって均一に間隔を空けられたＲＳサブキャリアで各アンテナポートから送信されうる。更に、各アンテナポートのためのＲＳサブキャリア間の間隔は、複数のリソースブロックにわたって維持されうる。例えば、シンボル期間３において、ＵＥ−ＲＳは、上方向の次のリソースブロックにおいてサブキャリアｋ＋１２で、および／あるいは、下方向の次のリソースブロックにおいてサブキャリアｋ−４で、アンテナポート７から送信されうる。このように、ＵＥ−ＲＳのためのサブキャリアをカウントすることは、各リソースブロックの最上部と最下部において続きうる。
【００５２】
同じＵＥ−ＲＳパターン９００は、全てのセルによって使用されうる。例えば、これらのセルＸ、Ｙ、Ｚは、異なるセルＩＤを有し、異なる周波数シフト０、１、２にそれぞれ関連付けられうる。セルＸ、Ｙ、Ｚは、異なるサブキャリア（図９に図示せず）でそれらのＣＲＳを送信しうるが、（図９に図示される）同じサブキャリアでＵＥ−ＲＳを送信しうる。
【００５３】
第２の設計では、ＵＥ−ＲＳ周波数シフトが用いられ、異なるＵＥ−ＲＳパターンが、異なるセルによって使用されうる。周波数シフトは、下記に説明されるように、様々なやり方で決定されうる。
【００５４】
図１０Ａ、１０Ｂ、１０Ｃは、異なる周波数シフトを伴う、２つのアンテナポートからのデータ伝送のためのＵＥ−ＲＳパターン１０００、１００２、１００４の設計を示す。ＵＥ−ＲＳパターン１０００、１００２、１００４は、ＭＩＭＯモードおよび／あるいはＣｏＭＰモードのために使用されうる。ＵＥ−ＲＳパターン１０００では、セルが、シンボル期間３、４において第１のサブキャリアのサブセットで、また、シンボル期間９、１０において第２のサブキャリアのセットで、２つのアンテナポート（例えば、アンテナポート７、８）から２つのＵＥ−ＲＳを送信しうる。
【００５５】
ＵＥ−ＲＳパターン１０００は、周波数シフト０に関連付けられ、ＵＥ−ＲＳパターン１００２は、周波数シフト１に関連付けられ、ＵＥ−ＲＳパターン１００４は、周波数シフト２に関連付けられうる。図１０Ａ、１０Ｂ、１０Ｃに示されるように、３つのセルＸ、Ｙ、Ｚは、異なる周波数シフト０、１、２にそれぞれ関連付けられうる。セルＸ、Ｙ、Ｚは、これらのセルからのＣＲＳおよびＵＥ−ＲＳ間の衝突を回避するために、（図１０Ａ、１０Ｂ、１０Ｃに示されるような）異なるサブキャリアでそれらのＣＲＳおよびＵＥ−ＲＳを送信しうる。
【００５６】
ＵＥ−ＲＳ周波数シフトは、ＭＩＭＯモードのために、様々なやり方で決定されうる。一設計では、ＵＥ−ＲＳ周波数シフトは、例えば、ビームステアリングモードのものと同様のやり方で、セルＩＤに基づいて決定されうる。別の設計では、ＵＥ−ＲＳ周波数シフトは、セル間でネゴシエートされうる。例えば、別のセルに対する高い干渉を引き起こしうるセルは、異なるＵＥ−ＲＳ周波数シフトを使用しうる。
【００５７】
ＵＥ−ＲＳ周波数シフトはまた、ＣｏＭＰモードのために、様々なやり方で決定されうる。一設計では、ＵＥ−ＲＳ周波数シフトは、ＵＥのためのＣｏＭＰセットにおけるサービス提供セルのセルＩＤに基づいて決定されうる。別の設計では、ＵＥ−ＲＳ周波数シフトは、ＣｏＭＰセットにおける複数のセル間でネゴシエートされ、ＵＥに半静的に割り当てられうる。ＣｏＭＰモードでは、ＣｏＭＰセットにおける複数のセルが、ＵＥにＵＥ−ＲＳを送信しうる。これらのセルは、同じリソース要素でＵＥ−ＲＳを送信するものとする。したがって、ＣｏＭＰセットにおける全てのセルは、このＵＥのためのＵＥ−ＲＳ周波数シフトに気付いているものとし、また、その後、このＵＥに同じリソース要素でＵＥ−ＲＳを送信しうる。
【００５８】
ＣｏＭＰモードでは、複数のセルが、同じ時間−周波数リソースで複数のＵＥにデータを送信しうる。一設計では、同じＵＥ−ＲＳ周波数シフトが、ＣｏＭＰを用いて同じ時間−周波数リソースでサービス提供される全てのＵＥのために使用されうる。別の設計では、異なるＵＥ−ＲＳ周波数シフトが、ＣｏＭＰを用いて同じ時間−周波数リソースでサービス提供される異なるＵＥのために使用されうる。
【００５９】
ＭＩＭＯおよびＣｏＭＰモードの両方に適用されうる一設計では、ＵＥ−ＲＳ周波数シフトは、サブフレームタイプに基づいて決定されうる。一設計では、ＵＥ−ＲＳ周波数シフトは、（ｉ）レギュラーサブフレームのためのセルＩＤ、あるいは（ｉｉ）ＭＢＳＦＭサブフレームのための（セルＩＤの代わりに、あるいはそれに加えて）その他何らかのパラメータに基づいて決定されうる。
【００６０】
ＵＥ−ＲＳ周波数シフトはまた、ＭＩＭＯおよびＣｏＭＰモードのために、その他のやり方で決定されうる。ＵＥのためのＵＥ−ＲＳ周波数シフトは、（例えば、サービス提供しているセルＩＤに基づいて）アプリオリに知られているやり方で決定され、また、ＵＥにシグナリングされる必要がない。ＵＥ−ＲＳ周波数シフトはまた、ＵＥのために構成され、また、そのＵＥにシグナリングされうる。
【００６１】
第３の設計では、ＵＥ−ＲＳ周波数シフトが用いられることもあるし、用いられないこともある。ＵＥ−ＲＳ周波数シフトが所与のセルに対して用いられるかどうかは、様々なやり方で決定されうる。一設計では、各セルはグループＩＤを割り当てられうる、また、ＵＥ−ＲＳ周波数シフトは、いくつかのグループＩＤのためには用いられうるが、その他いくつかのグループＩＤのためには用いられない。グループＩＤは、セルのためのセルＩＤか、セルのグループのためのＩＤか、その他何らかのＩＤでありうる。別の設計では、複数のセルは、ＵＥ−ＲＳ周波数シフトを用いるかどうかを決定するためにネゴシエートしうる。更に別の設計では、セルは、ＵＥ−ＲＳ周波数シフトを用いるかどうかを自動的に決定しうる。任意のケースにおいて、いくつかのセルは、それらのＵＥに対してＵＥ−ＲＳ周波数シフトを用いうるが、その他のセルは、それらのＵＥのためにＵＥ−ＲＳ周波数シフトを用いないことができる。ＵＥ−ＲＳ周波数シフトを用いないセルは、例えば、図９におけるＵＥ−ＲＳパターン９００のような、固定ＵＥ−ＲＳパターンを使用しうる。ＵＥ−ＲＳ周波数シフトを用いるセルは、例えば、図１０Ａ、１０Ｂ、１０ＣにおけるＵＥ−ＲＳパターン１０００、１００２、１００４のような、異なるＵＥ−ＲＳパターンを使用しうる。セルは、例えば、特定のＵＥに送られるユニキャストレイヤ３シグナリングか、特定のＵＥにＰＤＣＣＨで送られるユニキャストレイヤ２シグナリングか、ＵＥのグループに送られるマルチキャストレイヤ２シグナリングか、あるいは、全てのＵＥに送られるブロードキャストシグナリングかによって、ＥＵ−ＲＳ周波数シフトがセルによって用いられるかどうかをシグナリングしうる。
【００６２】
別の設計では、ＵＥ−ＲＳ周波数シフトは、あるＵＥのために用いられうるが、その他のＵＥのためには用いられないことができる。例えば、ＵＥ−ＲＳ周波数シフトは、ＭＩＭＯモードにおけるＵＥ動作のために用いられ、ＣｏＭＰモードにおけるＵＥ動作のためには用いられないことができる。ＵＥ−ＲＳ周波数シフトはまた、それらのＵＥ−ＲＳに対する強い干渉を観測するＵＥのために用いられ、その他のＵＥのためには用いられないことができる。
【００６３】
更に別の設計では、ＵＥ−ＲＳ周波数シフトは、特定のサブフレームのために用いられ、その他のサブフレームのためには用いられないことができる。例えば、ＵＥ−ＲＳ周波数シフトは、図６におけるレギュラーサブフレームのために用いられ、図７におけるＭＢＭＳサブフレームのためには用いられないことができる。
【００６４】
第４の設計では、ＵＥ−ＲＳ周波数シフトを用いることと、用いないこととの組み合わせが用いられる。これは、様々なやり方で実施されうる。一設計では、ＵＥ−ＲＳ周波数シフトが、均一に間隔を空けられた複数のＲＳサブキャリアのために用いられ、また、非均一に間隔を空けられたＲＳサブキャリアのためには用いられないことができる。例えば、ＵＥ−ＲＳパターンは、例えば、図１０Ａ、１０Ｂ、１０Ｃにおいて示されるような、均一に間隔を空けられたＲＳサブキャリアを含みうる。これらの均一に間隔を空けられたＲＳサブキャリアは、ＵＥ−ＲＳ周波数シフトに依存しうる。これは、上述された設計の任意のものに基づいて決定されうる。ＵＥ−ＲＳパターンは、ＵＥ−ＲＳ周波数シフトに依存しない固定周波数ロケーションにおいて、追加的なＲＳサブキャリアを含みうる。これらの追加的なＲＳサブキャリアは、ＵＥに割り当てられたリソースブロックのセットのエッジの近くに位置しうる。これは、エッジの近くでのチャネル推定性能を向上させうる。
【００６５】
無線ネットワークは、下りリンクにおける複数のキャリアでの動作をサポートしうる。これは、下りリンクキャリアと称されうる。キャリアは、通信のために利用可能な周波数の範囲を称し、ある特徴に関連付けられうる。例えば、キャリアは、同期信号を搬送したり、キャリアでの動作を説明するシステム情報に関連付けられたりしうる。
【００６６】
一設計では、制御情報は、全ての下りリンクキャリアでの通信をサポートするために、複数の下りリンクキャリアのサブセットで送られうる。制御情報が送られることができる下りリンクキャリアの各々では、（例えば、図６に示される）レギュラーサブフレームが制御情報およびデータをＵＥに送るために使用されうる。ＵＥ−ＲＳは、例えば、図９、１０Ａ、１０Ｂ、あるいは１０Ｃに示されるように、レギュラーサブフレームのデータセクションにおいて送信されうる。制御情報が送られない下りリンクキャリアの各々では、データセクションのみ（あるいは、主にデータセクション）を含むフルサブフレームがデータのみ（あるいは、主にデータ）をＵＥに送信するために使用されうる。ＵＥ−ＲＳは、フルサブフレームのデータセクションにおいて送信されうる。例えば、制御情報が、下りリンクキャリアＸ、Ｙの両方でのデータ伝送をサポートするために、下りリンクキャリアＸで送られうる。このケースでは、データおよび制御情報が下りリンクキャリアＸでレギュラーサブフレームにおいて送られ、データのみが下りリンクキャリアＹでフルサブフレームにおいて送られうる。
【００６７】
図１１は、データセクションのみを有する（すなわち、制御セクションを有していない）フルサブフレームにおける２つのアンテナポートからのデータ伝送のためのＵＥ−ＲＳパターン１１００の設計を示す。ＵＥ−ＲＳパターン１１００は、ＭＩＭＯモードおよび／あるいはＣｏＭＰモードのために使用されうる。ＵＥ−ＲＳパターン１１００は、図９におけるＵＥ−ＲＳパターン９００に示される２つのアンテナポート７、８に対する２つのＵＥ−ＲＳのための全てのＲＳリソース要素を含む。ＵＥ−ＲＳパターン１１００は、制御セクションが存在しないので、シンボル期間０、１において追加的なＲＳリソース要素を更に含む。ＵＥ−ＲＳは、フルサブフレームのより多くにわたって送信されうる。これは、チャネル推定性能を向上させうる。図１１におけるＵＥ−ＲＳパターン１１００は、図９におけるＵＥ−ＲＳパターン９００との下位互換性を維持しうる。
【００６８】
図１２は、データセクションのみを有するフルサブフレームにおける、２つのアンテナポートからのデータ伝送のためのＵＥ−ＲＳパターン１２００の設計を示す。ＵＥ−ＲＳパターン１２００はまた、ＭＩＭＯモードおよび／あるいはＣｏＭＰモードのために使用されうる。ＵＥ−ＲＳパターン１２００は、図１１のＵＥ−ＲＳパターン１１００におけるＲＳリソース要素よりも、フルサブフレームにわたって均一に割り振られるＲＳリソース要素を含む。一設計では、ＵＥ−ＲＳパターンは、レギュラーサブフレームのために使用されるＵＥ−ＲＳパターンにおけるＲＳリソース要素を問わず、フルサブフレームのために定義されうる。これは、優れたチャネル推定性能を提供しうるロケーションにＲＳリソース要素を置くことに関して柔軟性を提供しうる。
【００６９】
一設計では、ＵＥ−ＲＳパターン１１００および／あるいは１２００は、例えば、図９のＵＥ−ＲＳパターン９００と同様のやり方で、ＵＥ−ＲＳ周波数シフトを伴わずに使用されうる。別の設計では、ＵＥ−ＲＳパターン１１００および／あるいは１２００は、ＵＥ−ＲＳ周波数シフトを伴って使用されうる。この設計では、異なるＵＥ−ＲＳパターンが、例えば、図１０Ａ、１０Ｂ、１０ＣにおけるＵＥ−ＲＳパターン１０００、１００２、１００４と同様のやり方で、異なる周波数シフトのために定義されうる。更に別の設計では、ＵＥ−ＲＳ周波数シフトは、いくつかのＲＳリソース要素（例えば、ＵＥ−ＲＳパターン１１００のシンボル期間３乃至１２における下位互換性のあるＲＳリソース要素）に対して用いられ、（ｉｉ）その他のＲＳリソース要素（例えば、ＵＥ−ＲＳパターン１１００のシンボル期間０、１における追加的なＲＳリソース要素）に対しては無効にされうる。
【００７０】
図９乃至図１２は、２つのアンテナポートのための、いくつかの例示的なＵＥ−ＲＳパターンを示す。２つより多くのアンテナのためのＵＥ−ＲＳパターンもまた定義されうる。一般的に、アンテナポートからＵＥ−ＲＳを送信するために使用されるリソース要素は、周波数における任意の数のサブキャリアと、時間における任意の数のシンボル期間とによって間隔を空けられうる。例えば、ＵＥ−ＲＳのためのリソース要素は、２、３、４、５、６、あるいはその他何らかの数のサブキャリアによって間隔を空けられうる。ＵＥ−ＲＳは、３、４、５、６、あるいはその他何らかの数のシンボル期間毎に送信されうる。一般的に、ＵＥ−ＲＳのためにより多くのリソース要素を使用することは、より多くのオーバヘッドを代償として、ＵＥ−ＲＳのためにより優れたチャネル推定を提供することができ、逆もまた同様である。
【００７１】
本明細書において説明される技術は、上述されたように、ＵＥ−ＲＳのために使用されうる。この技術はまた、その他のタイプの基準信号のために使用されうる。例えば、技術は、チャネル状態情報基準信号（ＣＳＩ−ＲＳ）のために使用されうる。これは、セルのための受信信号の品質および／あるいは量を推定するために、セルによって送信され、ＵＥによって使用されうる。
【００７２】
図１３は、データ伝送のために使用されるレイヤ（あるいは、アンテナポート）の数に基づいてＵＥ−ＲＳを送信するための処理１３００の設計を示す。処理１３００は、（後述されるように）セルによって、あるいはその他何らかのエンティティによって実行されうる。セルは、１つのレイヤと複数のレイヤのどちらにおいて（あるいは、１つのアンテナポートと複数のアンテナポートのどちらから）データを送信するかを決定しうる（ブロック１３１２）。セルは、データが１つのレイヤで送信される場合は周波数シフトに基づいて、また、データが複数のレイヤで送信される場合は（周波数シフトを用いることなく）予め定められたサブキャリアのセットに基づいて、ＵＥ−ＲＳのためのサブキャリアを決定しうる（ブロック１３１４）。セルは、決定されたサブキャリアでＵＥ−ＲＳを送信しうる（ブロック１３１６）。セルは、ブロック１３１２において決定されたように、１つのレイヤあるいは複数のレイヤでデータを送信しうる（ブロック１３１８）。
【００７３】
ブロック１３１２の一設計では、セルは、データがビームステアリングを用いて１つのＵＥに送られる場合、１つのレイヤでデータを送信することを決定しうる。セルは、データがＭＩＭＯあるいはＣｏＭＰを用いて１又は複数のＵＥに対して送られる場合、複数のレイヤでデータを送信することを決定しうる。セルはまた、その他のやり方で１つのレイヤと複数のレイヤのどちらでデータを送信するかを決定しうる。
【００７４】
ブロック１３１４の一設計では、データが１つのレイヤで送信される場合、セルは、周波数シフトに基づいて、可能性のある複数のサブキャリアのセットの中からＵＥ−ＲＳのためのサブキャリアのセットを選択しうる。複数のサブキャリアのセットは、例えば、図８Ａ乃至図８Ｃに示されるように、周波数におけるオフセットであり、オーバラップしていない。選択されたセットは、図８Ａに示される設計のためのサブキャリアｋ＋１、ｋ＋３、ｋ＋５、ｋ＋７、ｋ＋９、およびｋ＋１１を含みうる。データが、例えば、図９に示されるように、複数のレイヤで送信される場合、セルはＵＥ−ＲＳのためのサブキャリアの固定セットを選択しうる。この固定セットは、図９におけるサブキャリアｋ、ｋ＋２、ｋ＋４、ｋ＋６、ｋ＋８、およびｋ＋１０を含みうる。いずれのケースにおいても、決定されたサブキャリアは、ＵＥ−ＲＳが送信される少なくとも１つのリソースブロックにわたって均一に間隔を空けられうる。
【００７５】
一設計では、（例えば、異なるセルＩＤを有する）複数のセルは、１つのレイヤで送信されたデータのための異なる周波数シフトに基づいて決定された異なるサブキャリアでＵＥ−ＲＳを送信しうる。複数のセルは、複数のレイヤで送信されたデータのための指定された固定サブキャリアでＵＥ−ＲＳを送信しうる。
【００７６】
一設計において、１つのレイヤでのデータ伝送では、セルがＵＥ−ＲＳおよびデータを１つのレイヤでＵＥに送信しうる。一設計において、複数のレイヤでのデータ伝送では、セルが複数のレイヤで１又は複数のＵＥにデータを送信しうる。このセルは、１つのレイヤで１又は複数のＵＥのうちの１つのＵＥにＵＥ−ＲＳを送信しうる。このセルは、少なくとも１つのその他のレイヤで、１又は複数のＵＥのうちの少なくとも１つのＵＥに、少なくとも１つの追加的なＵＥ−ＲＳを送信しうる。両方のケースにおいて、セルは、例えば、式（２）に示されるように、伝送の前にプリコーディングベクトルに基づいてＵＥ−ＲＳおよびデータをプリコードしうる。
【００７７】
図１４は、データ伝送のために使用されるレイヤ（あるいは、アンテナポート）の数に基づいてＵＥ−ＲＳを受信するための処理１４００の設計を示す。処理１４００は、（後述されるように）ＵＥによって、あるいはその他なんらかのエンティティによって実行されうる。ＵＥは、データが１つのレイヤで（あるいは、１つのアンテナポートから）送信される場合は周波数シフトに基づいて、また、データが複数のレイヤで（あるいは、複数のアンテナポートから）送信される場合は（周波数シフトを用いることなく）予め定められたサブキャリアのセットに基づいて、ＵＥ−ＲＳのためのサブキャリアを決定しうる（ブロック１４１２）。ＵＥは、決定されたサブキャリアでＵＥ−ＲＳを受信しうる（ブロック１４１４）。ＵＥは、１つのレイヤあるいは複数のレイヤで送信されたデータを受信しうる（ブロック１４１６）。一設計では、データがビームステアリングを用いてＵＥに送られる場合、ＵＥは１つのレイヤで送信されたデータを受信しうる。一設計では、データがＭＩＭＯあるいはＣｏＭＰを用いて１又は複数のＵＥに送られる場合、ＵＥは複数のレイヤで送信されたデータを受信しうる。このＵＥは（複数の）ＵＥのうちの１つである。
【００７８】
ブロック１４１２の一設計では、データが１つのレイヤで送信される場合、ＵＥは、周波数シフトに基づいて、可能性のある複数のサブキャリアのセットの中からＵＥ−ＲＳのためのサブキャリアのセットを選択しうる。複数のサブキャリアのセットは、周波数におけるオフセットであり、オーバラップしていない。データが複数のレイヤで送信される場合、ＵＥはＵＥ−ＲＳのためのサブキャリアの固定セットを選択しうる。
【００７９】
図１５は、周波数シフトを用いてＵＥ−ＲＳを送信するための処理１５００の設計を示す。処理１５００は、（後述されるように）セルによって、あるいはその他何らかのエンティティによって実行されうる。セルは、少なくとも１つの周波数シフトに基づいて、複数のＵＥ−ＲＳのためのサブキャリアを決定しうる（ブロック１５１２）。セルは、複数のレイヤにおいて、決定されたサブキャリアで（複数のアンテナポートから）複数のＵＥ−ＲＳ、例えば、各レイヤにおいて１つのＵＥ−ＲＳを、少なくとも１つのＵＥに送信しうる（ブロック１５１４）。セルはまた、複数のレイヤで少なくとも１つのＵＥにデータを送信しうる（ブロック１５１６）。
【００８０】
一設計では、セルは、２つのレイヤで２つのＵＥ−ＲＳ、すなわち、レイヤ毎に１つのＵＥ−ＲＳを送信しうる。セルはまた、より多くのレイヤで、より多くのＵＥ−ＲＳを送信しうる。一設計では、セルは、少なくとも１つのＵＥのための少なくとも１つのプリコーディングベクトルに基づいて、複数のＵＥ−ＲＳおよびデータをプリコードしうる。セルは、プリコーディングの後、複数のレイヤで複数のＵＥ−ＲＳおよびデータを送信しうる。
【００８１】
一設計では、複数のＵＥ−ＲＳのためのサブキャリアは、単一の周波数シフトに基づいて決定されうる。ブロック１５１２の一設計では、セルは、自己のセルＩＤに基づいて周波数シフトを決定しうる。セルは、周波数シフトに基づいて、可能性のある複数のサブキャリアのセットの中から、複数のＵＥ−ＲＳのためのサブキャリアのセットを決定しうる。複数のサブキャリアのセットは、周波数におけるオフセットであり、オーバラップしていない。別の設計では、少なくとも１つのＵＥが、可能性のある複数の周波数シフトから選択されうる、周波数シフトで構成されうる。周波数シフトが少なくとも１つのＵＥによって知られていない場合、これを伝達するためにシグナリングが送られうる。
【００８２】
一設計では、少なくとも１つのＵＥは単一のＵＥを備え、複数のＵＥ−ＲＳが、単一のセルによって、ＳＵ−ＭＩＭＯのためにこの単一のＵＥに送信されうる。別の設計では、少なくとも１つのＵＥは複数のＵＥを備え、複数のＵＥ−ＲＳが、単一のセルによって、ＭＵ−ＭＩＭＯのためにこの複数のＵＥに送信されうる。更に別の設計では、少なくとも１つのＵＥは単一のＵＥを備え、複数のＵＥ−ＲＳが、ＣｏＭＰのために複数のセルによって同じサブキャリアでこの単一のＵＥに送信されうる。更に別の設計では、少なくとも１つのＵＥは複数のＵＥを備え、複数のＵＥ−ＲＳが、ＣｏＭＰのために複数のセルによってこの複数のＵＥに送信されうる。
【００８３】
一設計では、少なくとも１つのＵＥは複数のＵＥを備え、これらのＵＥの各々が複数のＵＥ−ＲＳのうちの少なくとも１つを受信しうる。一設計では、単一の周波数シフトが全てのＵＥのために使用されうる。別の設計では、複数の周波数シフトが、各々が異なる周波数シフトを有する複数のＵＥのために使用されうる。
【００８４】
一設計では、セルは、複数のＵＥ−ＲＳのためのサブキャリアを決定するために、少なくとも１つの周波数シフトを使用するかどうかを確認しうる。少なくとも１つの周波数シフトが複数のＵＥ−ＲＳのためのサブキャリアを決定するために使用されない場合、セルは、複数のＵＥ−ＲＳのための指定された固定サブキャリアを使用しうる。例えば、セルは、（ｉ）セルに適用可能なアイデンティティ（例えば、グループＩＤあるはセルＩＤ）、（ｉｉ）複数のＵＥ−ＲＳが送信されるサブフレームのタイプ、および／あるいは（ｉｉｉ）その他なんらかのファクタに基づいて、少なくとも１つの周波数シフトを使用するかどうかを確認しうる。
【００８５】
一設計では、周波数シフトに基づいて決定された、いくつかのＲＳサブキャリアで、また、周波数シフトに基づいて決定されたのではない追加的なＲＳサブキャリアで、複数のＵＥ−ＲＳが送信されうる。セルは、周波数シフトに基づくことなく、複数のＵＥ−ＲＳのための少なくとも１つの追加的なサブキャリアを決定しうる。セルは更に、複数のレイヤにおいて、少なくとも１つの追加的なサブキャリアで複数のＵＥ−ＲＳを、少なくとも１つのＵＥに送信しうる。一設計では、決定されたサブキャリアは、少なくとも１つのリソースブロックにわたって均一に間隔を空けられ、少なくとも１つの追加的なサブキャリアは、少なくとも１つのリソースブロックにわたって均一に間隔を空けられないことがある。一設計では、複数のＵＥ−ＲＳは少なくとも１つのリソースブロックで送信されうる。少なくとも１つの追加的なサブキャリアは、少なくとも１つのリソースブロックの少なくとも１つのエッジの近くに位置しうる。
【００８６】
ブロック１５１４の一設計では、セルは、データセクションおよび制御セクションを備えるサブフレームのうちのデータセクションのみにおいて、複数のＵＥ−ＲＳを送信しうる。別の設計では、セルは、データセクションのみを備え、制御セクションを備えていないサブフレームのデータセクションにおいて、複数のＵＥ−ＲＳを送信しうる。
【００８７】
図１６は、周波数シフトを用いてＵＥ−ＲＳを受信するための処理１６００の設計を示す。処理１６００は、（後述されるように）ＵＥによって、あるいはその他何らかのエンティティによって実行されうる。ＵＥは、周波数シフトに基づいてＵＥ−ＲＳのためのサブキャリアを決定しうる（ブロック１６１２）。ＵＥは、決定されたサブキャリアでＵＥ−ＲＳを受信しうる（ブロック１６１４）。ＵＥ−ＲＳは、このＵＥを含む少なくとも１つのＵＥに複数のレイヤで（あるいは、複数のアンテナポートから）送信される複数のＵＥ−ＲＳのうちの１つでありうる。ＵＥは複数のレイヤでデータを受信しうる（ブロック１６１６）。
【００８８】
ブロック１６１２の一設計では、ＵＥは、サービス提供セルのセルＩＤに基づいて周波数シフトを決定しうる。ＵＥは、周波数シフトに基づいて、可能性のある複数のサブキャリアのセットの中からＵＥ−ＲＳのためのサブキャリアのセットを決定しうる。複数のサブキャリアのセットは、周波数におけるオフセットであり、オーバラップしていない。別の設計では、周波数シフトはＵＥのために構成され、可能性のある周波数シフトから選択されうる。
【００８９】
一設計では、少なくとも１つのＵＥはただ一つのＵＥを備え、複数のＵＥ−ＲＳが、単一のセルによって、ＳＵ−ＭＩＭＯのそのＵＥに送信されうる。別の設計では、少なくとも１つのＵＥは、ＵＥを含む複数のＵＥを備え、複数のＵＥ−ＲＳが、単一のセルによって、ＭＵ−ＭＩＭＯの複数のＵＥに送信されうる。更に別の設計では少なくとも１つのＵＥはただ一つのＵＥのみを備え、複数のＵＥ−ＲＳは、ＣｏＭＰのために、同じサブキャリアで複数のセルによってそのＵＥに送信されうる。更に別の設計では、少なくとも１つのＵＥは、ＵＥを含む複数のＵＥを備え、複数のＵＥ−ＲＳが、ＣｏＭＰのために複数のセルによって複数のＵＥに送信されうる。
【００９０】
一設計では、ＵＥは、複数のＵＥ−ＲＳのためのサブキャリアを決定するために、少なくとも１つの周波数シフトを使用するかどうかを確認しうる。少なくとも１つの周波数シフトが複数のＵＥ−ＲＳのためのサブキャリアを決定するために使用されない場合、複数のＵＥ−ＲＳのための指定された固定サブキャリアを使用しうる。
【００９１】
一設計では、複数のＵＥ−ＲＳは、周波数シフトに基づいて決定された、いくつかのＲＳサブキャリアと、波数シフトに基づいて決定されたのではない追加的なＲＳサブキャリアとで送信されうる。ＵＥは、周波数シフトに基づくことなくＵＥ−ＲＳのための少なくとも１つの追加的なサブキャリアを決定し、更に少なくとも１つの追加的なサブキャリアでＵＥ−ＲＳを受信しうる。
【００９２】
ブロック１６１４の一設計では、ＵＥは、データセクションおよび制御セクションを備えるサブフレームのうちのデータセクションのみにおいてＵＥ−ＲＳを受信しうる。別の設計では、ＵＥは、データセクションのみを備え、制御セクションを備えていないサブフレームのデータセクションにおいてＵＥ−ＲＳを受信しうる。
【００９３】
図１７は、ＣｏＭＰのためにＵＥ−ＲＳを送信するための処理１７００の設計を示す。処理１７００は、（後述されるように）セルによって、あるいはその他何らかのエンティティによって実行されうる。セルは、ＣｏＭＰのために複数のセルによってＵＥに送信されるＵＥ−ＲＳのためのサブキャリアを決定しうる（ブロック１７１２）。複数のセルはＵＥのためのＣｏＭＰセットに属し、セルを含みうる。一設計では、ＵＥ−ＲＳのためのサブキャリアは、指定された固定サブキャリアでありうる。別の設計では、ＵＥ−ＲＳのためのサブキャリアは周波数シフトに基づいて決定されうる。これは、ＵＥのためのサービス提供セルのセルＩＤに基づいて決定されうるか、あるいはＵＥのために構成されうる。セルは、決定されたサブキャリアで、ＵＥ−ＲＳをＵＥに送信しうる（ブロック１７１４）。一設計では、セルは、単一のレイヤでＵＥ−ＲＳをＵＥに送信しうる。
【００９４】
一設計では、セルは、ＣｏＭＰのために複数のセルによって第２のＵＥに対して送信される第２のＵＥ−ＲＳのための第２のサブキャリアを決定しうる。第２のサブキャリアは、ブロック１７１２において決定されたサブキャリアと同じものでありうるし、それとは異なるサブキャリアでもありうる。セルは、第２のサブキャリアで第２のＵＥ−ＲＳを第２のＵＥに送信しうる。ＵＥおよび第２のＵＥは両方とも、少なくとも１つのリソースブロックでのデータ伝送のためにスケジューリングされうる。ＵＥ−ＲＳおよび第２のＵＥ−ＲＳは、少なくとも１つのリソースブロックで送信されうる。
【００９５】
図１８は、ＣｏＭＰのためにＵＥ−ＲＳを受信するための処理１８００の設計を示す。処理１８００は、（後述されるように）ＵＥによって、あるいはその他何らかのエンティティによって実行されうる。ＵＥは、ＣｏＭＰのために複数のセルによってＵＥに対送信されるＵＥ−ＲＳのためのサブキャリアを決定しうる（ブロック１８１２）。一設計では、ＵＥ−ＲＳのためのサブキャリアは、指定された固定サブキャリアでありうる。別の設計では、ＵＥ−ＲＳのためのサブキャリアは、周波数シフトに基づいて決定されうる。これは、ＵＥのためのサービス提供セルのセルＩＤに基づいて決定されうるか、ＵＥのために構成されうる。ＵＥは、決定されたサブキャリアでＵＥ−ＲＳを受信しうる（ブロック１８１４）。
【００９６】
図１９は、ＵＥ−ＲＳを送信するための処理１９００の設計を示す。処理１９００は、（後述されるように）セルによって、あるいはその他何らかのエンティティによって実行されうる。セルは、第１のサブフレームおよび第２のサブフレームを含む複数のサブフレームからサブフレームを選択しうる（ブロック１９１２）。第１のサブフレームは、データセクションおよび制御セクションを含みうる、また、第２のサブフレームは、データセクションのみを含みうる。セルは、選択されたサブフレームのうちのデータセクションのみにおいてＵＥ−ＲＳを送信しうる（ブロック１９１４）。
【００９７】
ブロック１９１２の一設計では、セルは、制御情報が送られる第１のキャリアのための第１のサブフレームを選択しうる。セルは、制御情報が送られない第２のキャリアのための第２のサブフレームを選択しうる。セルはまた、その他の測定基準に基づいて、第１あるいは第２のサブフレームを選択しうる。
【００９８】
一設計では、例えば、図９に示されるように、第１のサブフレームは、ＵＥ−ＲＳのためのリソース要素の第１のセットを示す第１のＵＥ−ＲＳパターンに関連付けられうる。第２のサブフレームは、ＵＥ−ＲＳのための第２のリソース要素のセットを示す第２のＵＥ−ＲＳパターンに関連付けられうる。一設計では、例えば、図９および図１１に示されるように、第２のリソース要素のセットは、第１のリソース要素のセットと、少なくとも１つの追加的なリソース要素を含みうる。別の設計では、例えば、図９および図１２に示されるように、第１および第２のリソース要素のセットは、オーバラップしていない、および／あるいは、異なるリソース要素を含みうる。
【００９９】
図２０は、ＵＥ−ＲＳを受信するための処理２０００の設計を示す。処理２０００は、（後述されるように）ＵＥによって、あるいはその他何らかのエンティティによって実行されうる。ＵＥは、第１のサブフレームおよび第２のサブフレームを含む複数のサブフレームから選択されるサブフレームを決定しうる（ブロック２０１２）。第１のサブフレームは、データセクションおよび制御セクションを含み、第２のサブフレームは、データセクションのみを含みうる。ＵＥは、選択されたサブフレームのうちのデータセクションのみにおいてＵＥ−ＲＳを受信しうる。（ブロック２０１４）。
【０１００】
一設計では、第１のサブフレームは、制御情報が送られる第１のキャリアのために選択されうる。第２のサブフレームは、制御情報が送られない第２のキャリアのために選択されうる。第１あるいは第２のサブフレームはまた、その他の測定基準に基づいて選択されうる。
【０１０１】
一設計では、第１のサブフレームは、ＵＥ−ＲＳのための第１のリソース要素のセットを示す第１のＵＥ−ＲＳパターンに関連付けられうる。第２のサブフレームは、ＵＥ−ＲＳのための第２のリソース要素のセットを示す第２のＵＥ−ＲＳパターンに関連付けられうる。一設計では、第２のリソース要素のセットは、第１のリソース要素のセットと、少なくとも１つの追加的なリソース要素とを含みうる。別の設計では、第１および第２のリソース要素のセットはオーバラップしていない、および／あるいは異なるリソース要素を含みうる。
【０１０２】
図２１は、基地局／ｅＮＢ１１０およびＵＥ１２０の設計のブロック図を示す。これは、図１における複数の基地局／ｅＮＢのうちの１つと、複数のＵＥのうちの１つとでありうる。基地局１１０は、１又は複数のセルにサービス提供し、複数（Ｔ個）のアンテナ２１３４ａ乃至２１３４ｔを装備しうる。ＵＥ１２０は、Ｒ個のアンテナ２１５２ａ乃至２１５２ｒを装備しうる。ここで一般的に、Ｒ≧１である。
【０１０３】
基地局１１０において、送信プロセッサ２１２０は、１又は複数のＵＥのためのデータソース２１１２からデータを受信し、そのＵＥのために選択された１又は複数の変調およびコーディングスキームに基づいて各ＵＥのためのデータを処理し（例えば、符号化しおよび変調し）、全てのＵＥのためにデータシンボルを提供しうる。送信プロセッサ２１２０は、（例えば、スケジューリング許可、周波数オフセット、ＵＥ−ＲＳパターンなどのための）制御情報を処理し、制御シンボルを提供しうる。プロセッサ２１２０はまた、基準信号のための基準シンボル（例えば、ＣＲＳやＵＥ−ＲＳなど）を生成しうる。一設計では、プロセッサ２１２０は、図１における、データプロセッサ３１０と、レイヤマッパ３１２と、ＵＥ−ＲＳ生成器３２２とを実施しうる。送信（ＴＸ）ＭＩＭＯプロセッサ２１３０は、データシンボル、制御シンボル、および／あるいは基準シンボルに空間処理（例えば、プリコーディング）を実行し、Ｔ個の変調器（ＭＯＤ）２１３２ａ乃至２１３２ｔにＴ個の出力シンボルストリームを提供しうる。一設計では、プロセッサ２１３０は、図３におけるプリコーダ３１４、３２４と、デマルチプレクサ３３０とを実施しうる。各変調器２１３２は、（例えばＯＦＤＭなどのための）それぞれの出力シンボルストリームを処理して、出力サンプルストリームを取得しうる。一設計では、各変調器２１３２は、図３における１つのリソース要素マッパ３３２および１つのＯＦＤＭ変調器３３４を実施しうる。各変調器２１３２は更に、出力サンプルストリームを処理（例えば、アナログにコンバート、増幅、フィルタ、およびアップコンバート）して、下りリンク信号を取得しうる。変調器２１３２ａ乃至２１３２ｔからのＴ個の下りリンク信号は、Ｔ個のアンテナ２１３４ａ乃至２１３４ｔのそれぞれによって送信されうる。
【０１０４】
ＵＥ１２０において、アンテナ２１５２ａ乃至２１５２ｒは、基地局１１０および／あるいはその他の基地局から下りリンク信号を受信し、受信された信号を復調器（ＤＥＭＯＤ）２１５４ａ乃至２１５４ｒのそれぞれに提供しうる。各復調器２１５４は、受信された信号を調整して（例えば、フィルタに掛け、増幅し、ダウンコンバートし、デジタル化して）、入力サンプルを取得しうる。各復調器２１５４は、（例えば、ＯＦＤＭなどのための）入力サンプルを更に処理して、受信されたシンボルを取得しうる。一設計では、各復調器２１５４は、図４における、１つのＯＦＤＭ復調器４１４および１つのリソース要素デマッパ４１６を実施しうる。チャネルプロセッサ２１８４は、図４におけるチャネル推定器４２２を実施し、ＵＥ１２０に送信される１又は複数のＵＥ−ＲＳおよび／あるいは全てのＵＥに送信されるＣＲＳに基づいてチャネル推定を導出しうる。ＭＩＭＯ検出器２１５６は、Ｒ個の復調器２１５４ａ乃至２１５４ｒの全てから受信されたシンボルを取得し、チャネル推定に基づいて、受信されたシンボルにＭＩＭＯ検出を実行し、検出されたシンボルを提供しうる。ＭＩＭＯ検出器２１５６は、図４におけるＭＩＭＯ検出器４２４を実施しうる。受信プロセッサ２１５８は、検出されたシンボルを処理（例えば、復調および復号）し、ＵＥ１２０のための復号されたデータをデータシンク２１６０に提供し、復号された制御情報をコントローラ／プロセッサ２１８０に提供しうる。プロセッサ２１５８は、図４におけるデータプロセッサ４２６を実施しうる。
【０１０５】
上りリンクにおいて、ＵＥ１２０では、送信プロセッサ２１６４が、データソース２１６２からのデータと、コントローラ／プロセッサ２１８０からの制御情報とを受信および処理しうる。プロセッサ２１６４はまた、１又は複数の基準信号のための基準シンボルを生成しうる。送信プロセッサ２１６４からのシンボルは、適用可能であれば、ＴＸ  ＭＩＭＯプロセッサ２１６６によってプリコードされ、更に、（例えば、ＳＣ−ＦＤＭやＯＦＤＭなどのために）復調器２１５４ａ乃至２１５４ｒによって処理され、基地局１１０に送信されうる。基地局１１０において、ＵＥ１２０およびその他のＵＥからの上りリンク信号は、アンテナ２１３４によって受信され、復調器２１３２によって処理され、適用可能であればＭＩＭＯ検出器２１３６によって検出され、更に、受信プロセッサ２１３８によって処理され、ＵＥ１２０によって送られた、復号されたデータおよび制御情報が取得されうる。プロセッサ２１３８は、データシンク２１３９に復号されたデータを提供し、コントローラ／プロセッサ２１４０に復号された制御情報を提供しうる。
【０１０６】
コントローラ／プロセッサ２１４０、２１８０は、基地局１１０およびＵＥ１２０における動作をそれぞれ指示しうる。プロセッサ２１４０および／あるいは基地局１１０におけるその他のプロセッサおよびモジュールは、図１３の処理１３００、図１５の処理１５００、図１７の処理１７００、図１９の処理１９００、および／あるいは本明細書に説明される技術のためのその他の処理を実行あるいは指示しうる。プロセッサ２１８０および／あるいはＵＥ１２０におけるその他のプロセッサおよびモジュールは、図１４の処理１４００、図１６の処理１６００、図１８の処理１８００、図２０の処理２０００、および／あるいは本明細書に説明される技術のためのその他の処理を実行あるいは指示しうる。メモリ２１４２、２１８２は、基地局１１０およびＵＥ１２０のためのデータおよびプログラムコードをそれぞれ記憶しうる。スケジューラ２１４４は、下りリンクおよび／あるいは上りリンクでのデータ伝送のためにＵＥをスケジューリングしうる。
【０１０７】
当業者は、情報および信号が、任意の様々な異なる技法および技術を使用して表されうるということを理解するだろう。例えば、上記の説明を通して参照されうるデータ、命令群、コマンド、情報、信号、ビット、シンボル、およびチップは、電圧、電流、電磁波、磁界あるいは磁気粒子、光学界または光学粒子、あるいはそれら任意の組み合わせによって表わされうる。
【０１０８】
当業者は更に、本明細書における開示に関連付けて説明された様々な例示的な論理ブロック、モジュール、回路、およびアルゴリズムステップは、電気ハードウェア、コンピュータソフトウェア、あるいはこれら両方の組み合わせとして実施されうるということを理解するだろう。このハードウェアおよびソフトウェアの互換性を明確に例示するために、多様な例示的な構成要素、ブロック、モジュール、回路、およびステップが、一般にそれらの機能の観点から上記で説明されている。そのような機能がハードウェアあるいはソフトウェアのどちらとして実現されるかは、システム全体に課せられている特定のアプリケーションおよび設計の制約に依存する。当業者は、各特定のアプリケーションのために方式を変化させることによって、説明された機能性を実施しうるが、こういった実施の決定は本開示の範囲からの逸脱をまねくものと解釈されるべきではない。
【０１０９】
本明細書における開示に関連付けて説明された多様な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいはその他のプログラマブルロジックデバイス、離散ゲートもしくはトランジスタロジック、離散ハードウェア構成要素、あるいは本明細書において説明された機能を実行するために設計された、それら任意の組合せで実施あるいは実行されうる。汎用プロセッサは、マイクロプロセッサでありうるが、代替例として、任意の従来型のプロセッサ、コントローラ、マイクロコントローラ、あるいはステートマシンでありうる。例えば、ＤＳＰとマイクロプロセッサの組み合わせ、複数のマイクロプロセッサ、ＤＳＰコアと連結した１又は複数のマイクロプロセッサ、もしくはその他任意のこのような構成のような、コンピューティングデバイスの組み合わせとして、プロセッサが実現されうる。
【０１１０】
本明細書における開示に関連付けて説明された方法あるいはアルゴリズムのステップは、直接ハードウェアにおいてか、プロセッサによって実行されるソフトウェアモジュールにおいてか、あるいはそれら２つの組み合わせにおいて実現されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野において周知のその他任意の形態の記憶媒体に存在しうる。例示的な記憶媒体は、記憶媒体からの情報を読み取り、記憶媒体に情報を書き込むことができるプロセッサのようなプロセッサと結合される。代替例においては、記憶媒体はプロセッサに統合されうる。プロセッサ及び記憶媒体はＡＳＩＣ内に存在しうる。ＡＳＩＣはユーザ端末内に存在しうる。代替例においては、プロセッサおよび記憶媒体は離散的な構成要素としてユーザ端末内に存在しうる。
【０１１１】
１又は複数の例示的な設計において、説明される機能は、ハードウェア、ソフトウェア、ファームウェア、あるいはそれら任意の組み合わせで実現されうる。ソフトウェアにおいて実現される場合、機能は、１又は複数の命令群あるいはコードとして、コンピュータ読取可能媒体に記憶されうる、もしくはそれによって送信されうる。コンピュータ読取可能媒体は、コンピュータ記憶媒体と、ある場所から別の場所へのコンピュータプログラムの伝達を容易にする任意の媒体を含む通信媒体との両方を含む。記憶媒体は、汎用コンピュータあるいは特殊用途コンピュータによってアクセスされうる任意の利用可能な媒体である。限定ではなく例として、このようなコンピュータ読取可能媒体は、ＲＡＭや、ＲＯＭや、ＥＥＰＲＯＭや、ＣＤ−ＲＯＭもしくはその他の光学ディスク記憶装置や、磁気ディスク記憶装置もしくはその他の磁気記憶デバイスや、あるいは命令群もしくはデータ構造の形態で希望のプログラムコード手段を伝えるあるいは記憶するために使用されうる、また、汎用又は特殊用途コンピュータ、あるいは汎用又は特殊用途プロセッサによってアクセスされうる、その他任意の媒体を備えうる。更に、任意のコネクションが、コンピュータ読取可能媒体と適切に称される。例えば、同軸ケーブルや、光ファイバケーブルや、ツイストペアや、デジタル加入者回線（ＤＳＬ）や、あるいは、赤外線、無線、及びマイクロ波のような無線技術を使用して、ウェブサイト、サーバ、あるいはその他の遠隔ソースからソフトウェアが送信される場合、同軸ケーブルや、光ファイバケーブルや、ツイストペアや、ＤＳＬや、あるいは赤外線、無線、及びマイクロ波のような無線技術は、媒体の定義に含まれる。本明細書で使用されるようなディスク（ｄｉｓｋ）及びディスク（ｄｉｓｃ）は、コンパクトディスク（ＣＤ）（ｄｉｓｃ）、レーザディスク（ｄｉｓｃ）、光学ディスク、デジタルバーサタイルディスク（ＤＶＤ）（ｄｉｓｋ）、フロッピー（登録商標）ディスク（ｄｉｓｋ）及びブルーレイ（登録商標）ディスク（ｄｉｓｃ）を含む。ここで、ディスク（ｄｉｓｋ）は通常データを磁気的に再生する一方、ディスク（ｄｉｓｃ）はレーザを用いてデータを光学的に再生する。上記のものによる組合せも、コンピュータ読取可能媒体の範囲内に含まれるべきである。
【０１１２】
本開示の以上の説明は、当業者が本開示を製造あるいは使用できるように提供される。本開示に対する様々な変形例が当業者に対して容易に明らかになるだろう。        また本明細書で規定された一般的原理は、本開示の精神あるいは範囲から逸脱することなくその他のバリエーションに適用されうる。よって、本開示は、本明細書において説明される実例および設計に限定されるように意図されたものではなく、本明細書において開示された原理および新規の特徴と矛盾しない最大範囲であると認められるべきである。
【図１】
2013504941.tif 000007
【図２】
2013504941.tif 000008
【図３】
2013504941.tif 000009
【図４】
2013504941.tif 000010
【図５】
2013504941.tif 000011
【図６】
2013504941.tif 000012
【図７】
2013504941.tif 000013
【図８Ａ】
2013504941.tif 000014
【図８Ｂ】
2013504941.tif 000015
【図８Ｃ】
2013504941.tif 000016
【図９】
2013504941.tif 000017
【図１０Ａ】
2013504941.tif 000018
【図１０Ｂ】
2013504941.tif 000019
【図１０Ｃ】
2013504941.tif 000020
【図１１】
2013504941.tif 000021
【図１２】
2013504941.tif 000022
【図１３】
2013504941.tif 000023
【図１４】
2013504941.tif 000024
【図１５】
2013504941.tif 000025
【図１６】
2013504941.tif 000026
【図１７】
2013504941.tif 000027
【図１８】
2013504941.tif 000028
【図１９】
2013504941.tif 000029
【図２０】
2013504941.tif 000030
【図２１】
2013504941.tif 000031
【国際調査報告】
2013504941.tif 000032
2013504941.tif 000033
2013504941.tif 000034
2013504941.tif 000035
2013504941.tif 000036